(57)【特許請求の範囲】
【請求項１】
人物の特徴に関し、髪質情報を含む特徴情報を受信する特徴情報受信部と、
前記人物に施すヘアスタイルの施術を指定する施術指定情報を受信可能な施術指定情報受信部と、
前記特徴情報と前記施術指定情報とに基づいて前記特徴を有する前記人物に対して前記施術を施すことの施術評価を表示するよう指令可能な施術評価表示指令部と、
前記施術評価に基づいて前記施術の施術手順の提示を指令する施術手順提示指令を受信可能な施術手順提示指令受信部と、
前記施術手順提示指令を受信した場合に、前記特徴情報と前記施術指定情報とに基づいて前記施術の施術手順を表示するよう指令可能な施術手順表示指令部と、
を備える、ヘアスタイルの施術の支援装置。
【請求項２】
前記髪質情報は、毛髪の根元の浮き具合及び毛髪がつむじを中心に流れる向きを判別可能な情報を含み、
前記施術指定情報は、前記毛髪を切るカッティング施術を指定する情報を含み、
前記施術手順表示指令部は、前記施術指定情報と前記根元の浮き具合及び前記流れる向きとに基づいて前記カッティング施術の手順を表示するよう指令可能である、
請求項１に記載の支援装置。
【請求項３】
前記特徴情報は、前記人物の頭部の形状に関する頭部形状情報を含み、
前記施術指定情報は、前記人物の毛髪にパーマネントウェーブを施すパーマ施術を指定する情報を含み、
前記施術評価表示指令部は、前記頭部形状情報と前記施術指定情報とに基づいて前記パーマ施術に対する前記施術評価を表示するよう指令可能である、
請求項１又は２に記載の支援装置。
【請求項４】
前記施術手順表示指令部は、毛髪が含む複数の髪束のそれぞれについて、前記パーマ施術に用いるパーマ用具を取付ける位置及び前記パーマ用具の取り付け方を含む前記パーマ施術の手順を表示するよう指令可能である、請求項３に記載の支援装置。
【請求項５】
前記特徴情報は、毛髪の生え際の位置に関する生え際情報を含み、
前記施術指定情報は、前記人物の毛髪のうち前髪を切る前髪カット施術を指定する情報を含み、
前記施術評価表示指令部は、前記生え際情報に基づいて前記前髪カット施術に対する前記施術評価を表示するよう指令可能である、
請求項１から４のいずれか１項に記載の支援装置。
【請求項６】
前記髪質情報は、毛髪の太さを判別可能な情報を含み、
前記施術指定情報は、前記人物の毛髪を染めるカラーリング施術を指定する情報を含み、
前記施術手順表示指令部は、前記施術指定情報と前記毛髪の太さとに基づいて前記カラーリング施術の手順を表示するよう指令可能である、
請求項１から５のいずれか１項に記載の支援装置。
【請求項７】
前記髪質情報は、毛髪の傷み具合を判別可能な情報をさらに含み、
前記施術手順表示指令部は、前記施術指定情報と前記毛髪の太さと前記傷み具合とに基づいて前記カラーリング施術の手順を表示するよう指令可能である、
請求項６に記載の支援装置。
【請求項８】
人物の特徴に関し、髪質情報を含む特徴情報を受信する特徴情報受信ステップと、
前記人物に施すヘアスタイルの施術を指定する施術指定情報を受信可能な施術指定情報受信ステップと、
前記特徴情報と前記施術指定情報とに基づいて前記特徴を有する前記人物に対して前記施術を施すことの施術評価を表示するよう指令可能な施術評価表示指令ステップと、
前記施術評価に基づいて前記施術の施術手順の提示を指令する施術手順提示指令を受信可能な施術手順提示指令受信ステップと、
前記施術手順提示指令を受信した場合に、前記特徴情報と前記施術指定情報とに基づいて前記施術の施術手順を表示するよう指令可能な施術手順表示指令ステップと、
をヘアスタイルの施術の支援装置に実行させることが可能なヘアスタイルの施術の支援プログラム。
【請求項９】
人物の特徴に関し、髪質情報を含む特徴情報を外部の所定装置に送信する特徴情報送信ステップと、
前記人物に施すヘアスタイルの施術を指定する施術指定情報を前記所定装置に送信する施術指定情報送信ステップと、
前記特徴情報と前記施術指定情報とに基づいて前記特徴を有する前記人物に対して前記施術を施すことの施術評価を表示するよう指令する施術評価表示指令を前記所定装置から受信する施術評価表示指令受信ステップと、
前記施術評価表示指令に基づいて前記施術評価を表示する施術評価表示ステップと、
前記施術評価に基づいて前記施術の施術手順の提示を指令する施術手順提示指令を前記所定装置に送信する施術手順提示指令送信ステップと、
前記施術手順提示指令と前記特徴情報と前記施術指定情報とに基づいて前記施術の施術手順を表示するよう指令する施術手順表示指令を前記所定装置から受信する施術手順表示指令受信ステップと、
前記施術手順表示指令に基づいて前記施術手順を表示する施術手順表示ステップと、
を端末に実行させることが可能なヘアスタイルの施術の支援プログラム。
【発明の詳細な説明】
【技術分野】
【０００１】
本発明は、ヘアスタイルの施術を支援する支援装置及び支援プログラムに関するものである。
【背景技術】
【０００２】
理容室及び／又は美容室等で行われるヘアスタイルの施術に関し、ヘアスタイルの施術を行う適切な施術手順を表示する等して、ヘアスタイルの施術を行う施術者の訓練を支援する要望がある。
【０００３】
理容師及び／又は美容師等によって例示される施術を行う施術者のうち、施術に関する訓練を要する要訓練施術者は、ヘアスタイルの施術に関する訓練を支援されることにより、支援に基づいてよりいっそう適切な施術を行えるよう訓練される。このような要訓練施術者として、例えば、美容学校を卒業したばかりの美容師等が挙げられる。要訓練施術者は、ヘアスタイルの施術に関する訓練を支援されることにより、ヘアスタイルの施術を受ける被施術者がよりいっそう満足するヘアスタイルの施術を行える。
【０００４】
これにより、要訓練施術者を雇用する理容室及び／又は美容室等は、要訓練施術者の訓練に係る時間、労力、及び／又は費用等を減らし、要訓練施術者の雇用に係る初期コストを低減し得る。
【０００５】
ヘアスタイルの施術に関する訓練を支援することに関し、特許文献１には、顧客の施術前画像を撮影し、施術前画像の頭髪領域を抽出し、施術工程ごとに、頭髪領域に対する模擬施術内容情報の入力を受け付け、施術工程ごとに、顧客の模擬施術後画像を生成し、顧客に対する実施術内容情報の入力を受け付け、顧客の実施術後画像を撮影し、模擬施術内容情報、模擬施術後画像、実施術内容情報、実施術後画像を施術工程データとして記憶することを特徴とする理美容師支援システムが記載されている。
【０００６】
特許文献１に記載の発明によれば、理美容師による顧客満足度が高いサービスの提供を支援し得るとともに、理美容師のサービスの質を一定のレベルで維持することを見込み得る。
【先行技術文献】
【特許文献】
【０００７】
【特許文献１】特開２０１５−２２５３６７号公報
【発明の概要】
【発明が解決しようとする課題】
【０００８】
実際に施術を施される顧客及び／又はカットモデル等がいない場合であっても訓練を行えるよう支援することにより、よりいっそう訓練を支援できる。しかし、特許文献１の技術は、顧客を撮影した画像に基づいて支援を行うものであり、実際に施術を施される顧客及び／又はカットモデル等がいない場合における訓練において、なおいっそう改善の余地がある。
【０００９】
被施術者に対する適切な施術手順は、毛髪に関する情報によって変わり得る。例えば、被施術者の毛髪の根元が右流れである場合と、左流れである場合とでは、被施術者の毛髪をカットするときの適切な手順が変わり得る。しかし、毛髪の根元の向き及び髪質等によって例示される毛髪に関する情報は、撮影した画像から判別することが困難な場合がある。
【００１０】
特許文献１が開示する技術は、顧客を撮影した施術前画像と、施術前画像から抽出した頭髪領域と、入力された頭髪領域に対する模擬施術内容情報とに基づいて理美容師を支援し得るにとどまる。したがって、特許文献１の技術は、毛髪に関する情報を反映した訓練の支援において、なおいっそう改良の余地がある。
【００１１】
また、被施術者の頭の形、顔の形、髪質等によって、ヘアスタイルの施術が被施術者に適さない場合がある。施術者が要訓練施術者である場合、施術が被施術者に適するか否かを判別することが困難である場合がある。特許文献１が開示する技術は、施術者が要訓練施術者である場合に施術が被施術者に適するか否かを判別することの訓練を支援する点においても、なおいっそう改良の余地がある。
【００１２】
本発明は、上述のような従来技術の問題点を解決すべくなされたものであって、訓練を要する要訓練施術者に対して、ヘアスタイルの施術を実際に施す対象とし得る人物がいない場合であっても、施術を施される人物の情報をよりいっそう反映した訓練を行えるよう支援する手段を提供することを目的とする。
【課題を解決するための手段】
【００１３】
本発明者らは、上記課題を解決するために鋭意検討した結果、被施術者の毛髪の性質に関する髪質情報を含む特徴情報と施術を指定する施術指定情報とに基づいて施術の評価を表示するよう指令し、この評価に基づいて施術手順の表示を指令する施術手順表示指令を受信した場合に、特徴情報と施術指定情報とに基づいて施術の手順を表示するよう指令することで上述の課題を解決可能であることを見出し、本発明を完成させるに至った。具体的に、本発明は以下のものを提供する。
【００１４】
第１の特徴に係る発明は、人物の特徴に関し、髪質情報を含む特徴情報を受信する特徴情報受信部と、前記人物に施すヘアスタイルの施術を指定する施術指定情報を受信する施術指定情報受信部と、前記特徴情報と前記施術指定情報とに基づいて前記特徴を有する前記人物に対して前記施術を施すことの施術評価を表示するよう指令可能な施術評価表示指令部と、前記施術評価に基づいて前記施術の施術手順の表示を指令する施術手順表示指令を受信可能な施術手順表示指令受信部と、前記施術手順表示指令を受信した場合に、前記特徴情報と前記施術指定情報とに基づいて前記施術の施術手順を表示するよう指令可能な施術手順表示指令部と、を備える、ヘアスタイルの施術の支援装置を提供する。
【００１５】
ヘアスタイルの施術を施す対象となる人物の髪質等によって、ヘアスタイルの施術が人物に適さない場合がある。施術者が要訓練施術者である場合、施術が当該人物に適するか否かを判別することが困難である場合がある。
【００１６】
第１の特徴に係る発明によれば、人物の毛髪の性質に関する髪質情報を含む特徴情報と施術を指定する施術指定情報とに基づいて人物に施術を施すことの施術評価を表示するよう指令するため、施術者が訓練を要する要訓練施術者等であっても、表示された施術評価を用いて、施術が髪質情報によって示される毛髪の性質を有する人物に適するか否かを判別できる。これにより、施術者は、被施術者がよりいっそう満足するヘアスタイルの施術を行える。
【００１７】
第１の特徴に係る発明によれば、施術手順の表示を指令する施術手順表示指令を受信した場合に、人物の毛髪の性質に関する髪質情報を含む特徴情報と施術を指定する施術指定情報とに基づく手順を表示するよう指令する。したがって、施術者は、施術が当該人物に適するか否かを判別して、訓練を行うかを判断し、訓練を行う場合に施術手順の表示を指令できる。これにより、訓練を行わない場合に不要の表示を行い、不要の表示を確認する負担を施術者にかけることを防ぎ得る。
【００１８】
また、第１の特徴に係る発明によれば、人物の毛髪の性質に関する髪質情報を含む特徴情報と施術を指定する施術指定情報とに基づく手順を表示するよう指令するため、施術者は、当該人物の毛髪の性質を判別するだけで、当該人物と施術との組合せに適した手順を参照できる。これにより、要訓練施術者等の施術者は、人物に応じた施術を判別する訓練を行える。すなわち、訓練を要する要訓練施術者等の施術者に対して、ヘアスタイルの施術を受ける被施術者の情報をよりいっそう反映した訓練を支援できる。
【００１９】
したがって、第１の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００２０】
第２の特徴に係る発明は、第１の特徴に係る発明であって、前記髪質情報は、前記毛髪の根元の浮き具合及び前記毛髪がつむじを中心に流れる向きを判別可能な情報を含み、前記施術指定情報は、前記毛髪を切るカッティング施術を指定する情報を含み、前記施術手順表示指令部は、前記施術指定情報と前記根元の浮き具合及び前記流れる向きとに基づいて前記カッティング施術の手順を表示するよう指令可能である、支援装置を提供する。
【００２１】
毛髪を切るカッティング施術では、毛髪の根元の浮き具合と毛髪がつむじを中心に流れる向きとによって、施術の適切な手順が変わり得る。例えば、毛髪の根元が浮いている場合に毛髪を短く切ると、切られた毛髪が毛髪の根元が浮いていない場合よりも浮く。これにより、施術後のヘアスタイルが変わり得る。これにより、ヘアスタイルの施術を受ける被施術者の満足度が低下し得る。
【００２２】
また、毛髪を切るカッティング施術では、毛髪がつむじを中心に流れる向きが右流れの向きである場合に毛髪がつむじを中心に流れる向きが左流れの向きの場合に適した手順で毛髪を切ると、毛髪の流れる向きの違いによって施術後のヘアスタイルの形状が変わり得る。これにより、ヘアスタイルの施術を受ける被施術者の満足度が低下し得る。
【００２３】
第２の特徴に係る発明によれば、施術指定情報と毛髪の根元の浮き具合及び毛髪がつむじを中心に流れる向きとに基づいてカッティング施術の手順を表示するよう指令可能であるため、要訓練施術者等の施術者は、毛髪の根元の浮き具合及び毛髪がつむじを中心に流れる向きに応じたカッティング施術の手順に関する訓練を行える。これにより、施術者は、被施術者がよりいっそう満足する施術を行えるようにする訓練を行える。
【００２４】
したがって、第２の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００２５】
第３の特徴に係る発明は、第１又は第２の特徴に係る発明であって、前記特徴情報は、前記人物の頭部の形状に関する頭部形状情報を含み、前記施術指定情報は、前記毛髪にパーマネントウェーブを施すパーマ施術を指定する情報を含み、前記施術評価表示指令部は、前記頭部形状情報と前記施術指定情報とに基づいて前記パーマ施術に対する前記施術評価を表示するよう指令可能である、支援装置を提供する。
【００２６】
毛髪にパーマネントウェーブを施すパーマ施術を施す場合、パーマ施術を施したヘアスタイルは、人物の頭部の形状によって似合うかが変わり得る。すなわち、人物の頭部の形状によってパーマ施術の評価が変わり得る。例えば、毛髪が下方向に向かって広がるＡラインのパーマ施術を施したヘアスタイルは、頭部の形状が面長である人物及び頭部の形状が丸顔である人物に似合い得る。また、毛髪がＳ字を描くＳラインのパーマ施術を施したヘアスタイルは、頬骨近傍の幅が広いエラ張り顔の人物に似合い得る。
【００２７】
第３の特徴に係る発明によれば、人物の頭部の形状に関する頭部形状情報と、パーマ施術を指定する情報を含む施術指定情報と、に基づいてパーマ施術に対する施術評価を表示するよう指令するため、施術者が訓練を要する要訓練施術者等であっても、表示された施術評価を用いて、指定したパーマ施術が頭部形状情報によって示される頭部の形状を有する人物に適するか否かを判別できる。これにより、施術者は、被施術者がよりいっそう満足するヘアスタイルの施術を行える。
【００２８】
したがって、第３の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００２９】
第４の特徴に係る発明は、第３の特徴に係る発明であって、前記施術手順表示指令部は、前記毛髪が含む複数の髪束のそれぞれについて、前記パーマ施術に用いるパーマ用具を取付ける位置及び前記パーマ用具の取り付け方を含む前記パーマ施術の手順を表示するよう指令可能である、支援装置を提供する。
【００３０】
ロッド（「カーラー」とも称する。）等によって例示されるパーマ施術に用いるパーマ用具を取付ける位置及び取り付け方によって、パーマ施術を施したヘアスタイルが変わり得る。例えば、髪束の根元付近にパーマ用具を取付ける施術では、髪束が流れる向き全体に変化を与えるヘアスタイルとなる一方、髪束の毛先付近にパーマ用具を取付ける施術では、髪束の毛先に変化を与えるヘアスタイルとなる。
【００３１】
また、パーマ用具に髪束を１０回巻き付ける取り付け方で施したパーマ施術では、パーマ用具に髪束を２回巻き付ける取り付け方で施したパーマ施術より、髪束がより曲がるヘアスタイルとなる。
【００３２】
したがって、パーマ用具を取付ける適切な位置及び適切な取り付け方を訓練することを支援できれば、訓練を要する要訓練施術者は、被施術者がよりいっそう満足するパーマ施術を行える。
【００３３】
第４の特徴に係る発明によれば、毛髪が含む複数の髪束のそれぞれについて、パーマ施術に用いるパーマ用具を取付ける位置及びパーマ用具の取り付け方を含むパーマ施術の手順を表示するよう指令できるため、要訓練施術者等の施術者は、パーマ施術に用いるパーマ用具を取付ける位置及びパーマ用具の取り付け方を含むパーマ施術の手順に関する訓練を行える。これにより、施術者は、被施術者がよりいっそう満足する施術を行えるようにする訓練を行える。
【００３４】
したがって、第４の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００３５】
第５の特徴に係る発明は、第１の特徴から第４の特徴のいずれかに係る発明であって、前記特徴情報は、前記毛髪の生え際の位置に関する生え際情報を含み、前記施術指定情報は、前記毛髪のうち前髪を切る前髪カット施術を指定する情報を含み、前記施術評価表示指令部は、前記生え際情報に基づいて前記前髪カット施術に対する前記施術評価を表示するよう指令可能である、支援装置を提供する。
【００３６】
毛髪を切るカッティング施術のうち、前髪を切る前髪カット施術は、人物の背面側より目立つ人物の正面側にある前髪を切る施術であるため、前髪カット施術により、ヘアスタイルが与える印象が大きく変わり得る。前髪カット施術は、大きく印象を変え得る施術であるため、前髪を所定の方向に流すように切る施術、前髪を長く切る施術、前髪を所定の方向に流しながら長く切る施術等によって例示される、様々な前髪カット施術がある。様々な前髪カット施術を訓練することにより、被施術者は、被施術者がよりいっそう満足するヘアスタイルの施術を行えるようになり得る。
【００３７】
前髪カット施術を施す場合、前髪カット施術を施したヘアスタイルは、毛髪の生え際の位置によって似合うかが変わり得る。すなわち、毛髪の生え際の位置によって前髪カット施術の評価が変わり得る。例えば、生え際が高い位置にある場合（おでこが広い場合）と生え際が低い位置にある場合（おでこが狭い場合）とで、前髪を所定の方向に流すように切る同様の施術を施しても、その評価が変わり得る。
【００３８】
第５の特徴に係る発明によれば、毛髪の生え際の位置に関する生え際情報に基づいて前髪カット施術に対する施術評価を表示するよう指令できるため、施術者が訓練を要する要訓練施術者等であっても、表示された施術評価を用いて、指定した前髪カット施術が生え際情報によって示される毛髪の生え際の位置を有する人物に適するか否かを判別できる。これにより、施術者は、被施術者がよりいっそう満足するヘアスタイルの施術を行える。
【００３９】
したがって、第５の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００４０】
第６の特徴に係る発明は、第１の特徴から第５の特徴のいずれかに係る発明であって、前記髪質情報は、前記毛髪の太さを判別可能な情報を含み、前記施術指定情報は、前記毛髪を染めるカラーリング施術を指定する情報を含み、前記施術手順表示指令部は、前記施術指定情報と前記毛髪の太さとに基づいて前記カラーリング施術の手順を表示するよう指令可能である、支援装置を提供する。
【００４１】
毛髪を染めるカラーリング施術では、毛髪の太さによって毛髪の染まり方が異なる。したがって、毛髪の太さによって、カラーリング施術の適切な手順が異なり得る。毛髪の太さに応じたカラーリング施術の適切な手順を訓練することにより、被施術者は、被施術者がよりいっそう満足するヘアスタイルの施術を行えるようになり得る。
【００４２】
第６の特徴に係る発明によれば、施術指定情報と毛髪の太さとに基づいて前記カラーリング施術の手順を表示するよう指令できるため、被施術者は、毛髪の太さに応じたカラーリング施術の適切な手順を訓練できる。これにより、施術者は、被施術者がよりいっそう満足するヘアスタイルの施術を行える。
【００４３】
したがって、第６の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００４４】
第７の特徴に係る発明は、第６の特徴に係る発明であって、前記髪質情報は、前記毛髪の傷み具合を判別可能な情報をさらに含み、前記施術手順表示指令部は、前記施術指定情報と前記毛髪の太さと前記傷み具合とに基づいて前記カラーリング施術の手順を表示するよう指令可能である、支援装置を提供する。
【００４５】
毛髪を染めるカラーリング施術では、毛髪の傷み具合によって施術に用いる適切な薬剤等のカラーリング施術の手順が異なる。毛髪の傷み具合に応じたカラーリング施術の適切な手順を訓練することにより、被施術者は、被施術者がよりいっそう満足するヘアスタイルの施術を行えるようになり得る。
【００４６】
第７の特徴に係る発明によれば、施術指定情報と毛髪の傷み具合とに基づいて前記カラーリング施術の手順を表示するよう指令できるため、被施術者は、毛髪の太さだけでなく、毛髪の傷み具合にも応じたカラーリング施術の適切な手順を訓練できる。これにより、施術者は、被施術者がよりいっそう満足するヘアスタイルの施術を行える。
【００４７】
したがって、第７の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【００４８】
第８の特徴に係る発明は、第１の特徴に係る発明のカテゴリ違いである。
【００４９】
第９の特徴に係る発明は、人物の特徴に関し、髪質情報を含む特徴情報を外部の所定装置に送信する特徴情報送信ステップと、前記人物に施すヘアスタイルの施術を指定する施術指定情報を前記所定装置に送信する施術指定情報送信ステップと、前記特徴情報と前記施術指定情報とに基づいて前記特徴を有する前記人物に対して前記施術を施すことの施術評価を表示するよう指令する施術評価表示指令を前記所定装置から受信する施術評価表示指令受信ステップと、前記施術評価表示指令に基づいて前記施術評価を表示する施術評価表示ステップと、前記施術評価に基づいて前記施術の施術手順の提示を指令する施術手順提示指令を前記所定装置に送信する施術手順表示指令送信ステップと、前記施術手順提示指令と前記特徴情報と前記施術指定情報とに基づいて前記施術の施術手順を表示するよう指令する施術手順表示指令を前記所定装置から受信する施術手順表示指令受信ステップと、前記施術手順表示指令に基づいて前記施術手順を表示する施術手順表示ステップと、
を端末に実行させることが可能なヘアスタイルの施術の支援プログラムを提供する。
【００５０】
第１の特徴に係る支援は、比較的計算能力が高いコンピュータ等を必要とし得る。したがって、スマートフォン及びタブレット端末等によって例示される比較的計算能力が低い端末を用いて第１の特徴に係る支援を行う場合、計算能力の不足に起因する困難が生じ得る。
【００５１】
第９の特徴に係る発明によれば、第９の特徴に係る発明のプログラムを実行する端末が、第１の特徴に係る支援装置に特徴情報、施術指定情報、及び施術評価表示指令を送信し、当該支援装置から施術評価表示指令を受信することにより、当該端末に施術評価を表示できる。これにより、比較的計算能力が低い端末であっても、施術評価を表示する支援を行える。
【００５２】
また、第９の特徴に係る発明のプログラムを実行する端末が、第１の特徴に係る支援装置に施術手順提示指令を送信し、当該支援装置から施術手順表示指令を受信することにより、当該端末に施術手順を表示できる。これにより、比較的計算能力が低い端末であっても、施術手順を表示する支援を行える。
【００５３】
比較的計算能力が低い端末であっても、施術評価を表示する支援及び施術手順を表示する支援を行えることにより、第９の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう、比較的計算能力が低い端末を用いて支援できる。
【００５４】
したがって、第９の特徴に係る発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【発明の効果】
【００５５】
本発明によれば、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【図面の簡単な説明】
【００５６】
【図１】図１は、本実施形態の支援システムＳについて、その構成の一例を示すブロック図である。
【図２】図２は、特徴情報テーブル２２１の一例を示す図である。
【図３】図３は、施術評価テーブル２２２の一例を示す図である。
【図４】図４は、施術手順テーブル２２３の一例を示す図である。
【図５】図５は、端末１を用いた支援処理の好ましい流れの一例を示すメインフローチャートである。
【図６】図６は、端末１の端末表示部１５に表示された、施術指定情報の入力を行う施術指定情報入力画面の一例を示す概略図である。
【図７】図７は、端末１における特徴情報入力処理の好ましい流れの一例を示すフローチャートである。
【図８】図８は、端末１の端末表示部１５に表示された、特徴情報の入力を行う特徴情報入力画面の一例を示す概略図である。
【図９】図９は、端末１における施術評価表示処理の好ましい流れの一例を示すフローチャートである。
【図１０】図１０は、端末１の端末表示部１５に表示された、カッティング施術に関する施術評価を表示するカッティング施術評価表示画面の一例を示す概略図である。
【図１１】図１１は、端末１の端末表示部１５に表示された、パーマ施術に関する施術評価を表示するパーマ施術評価表示画面の一例を示す概略図である。
【図１２】図１２は、端末１の端末表示部１５に表示された、前髪カット施術に関する施術評価を表示する前髪カット施術評価表示画面の一例を示す概略図である。
【図１３】図１３は、端末１における施術手順表示処理の好ましい流れの一例を示すフローチャートである。
【図１４】図１４は、端末１の端末表示部１５に表示されたカッティング施術の施術手順の一例を示す概略図である。
【図１５】図１５は、端末１の端末表示部１５に表示されたパーマ施術に関するカッティング施術の施術手順の流れを示す表示の一例を示す概略図である。
【図１６】図１６は、端末１の端末表示部１５に表示されたパーマ施術の施術手順のうち、パーマ施術の対象となる髪束を示す表示の一例を示す概略図である。
【図１７】図１７は、端末１の端末表示部１５に表示されたパーマ施術に関する施術手順のうち、パーマ用具に関する手順を示す表示の一例を示す概略図である。
【図１８】図１８は、端末１の端末表示部１５に表示された前髪カット施術の前髪カット施術手順の一例を示す概略図である。
【図１９】図１９は、端末１の端末表示部１５に表示されたカラーリング施術の施術手順の一例を示す概略図である。
【図２０】図２０は、端末１の端末表示部１５に表示された、カラーリング施術に関するカラーパターン指定画面の一例を示す概略図である。
【図２１】図２１は、端末１の端末表示部１５に表示された、指定されたカラーパターンに応じたヘアスタイルを表示する画面の一例を示す概略図である。
【図２２】図２２は、端末１の端末表示部１５に表示された、指定されたカラーパターンに応じたカラーリング施術の施術手順の一例を示す概略図である。
【図２３】図２３は、支援装置２を用いた支援処理の好ましい流れの一例を示すメインフローチャートである。
【発明を実施するための形態】
【００５７】
以下に、本発明の実施形態の一例について、図面を参照しながら詳細に説明する。
【００５８】
＜支援システムＳ＞
図１は、本実施形態の支援システムＳについて、その構成の一例を示すブロック図である。支援システムＳ（以下、単に「システムＳ」とも称する。）は、ヘアスタイルの施術を行う施術者等によって例示されるシステムＳの利用者が利用する端末１と、ヘアスタイルの施術に関する支援を行う支援装置２とを含んで構成される。
【００５９】
端末１と支援装置２は、一体に構成された装置であってもよく、互いに通信可能に構成された別体の端末と装置であってもよい。端末１と支援装置２が一体に構成された装置であることにより、通信に困難がある場所でも、システムＳを利用できる。
【００６０】
端末１と支援装置２が互いに通信可能に構成された別体の端末と装置であることにより、処理の一部を支援装置２で行うことで端末１を軽量及び／又は小型に構成し、その携帯性を向上し得る。
【００６１】
端末１が携帯端末等によって例示される処理能力が比較的低い端末である場合、動画を生成して表示する支援処理を行うことに困難が生じ得る。端末１と支援装置２が互いに通信可能に構成された別体の端末と装置であることにより、端末１の処理能力が比較的低い場合であっても、支援装置２で生成した動画を端末１で表示する支援処理を行える。
【００６２】
端末１と支援装置２が互いに通信可能に構成された別体の端末と装置である場合、システムＳは、端末１と支援装置２とを通信可能に接続できるネットワークＮを含んで構成されることが好ましい。これにより、端末１と支援装置２とは、ネットワークＮを介して互いに通信できる。
【００６３】
以下では、端末１と支援装置２とが互いに通信可能に構成された別体の端末と装置である構成について説明する。端末１と支援装置２とが一体に構成された装置である構成は、別体である場合においてネットワークＮを介して行う通信処理を、装置内部に設けられた通信バス、プロセス間通信、オブジェクト間通信、スレッド間通信、及び共有メモリ等によって例示される装置内部における通信を実現する構成要素を用いて行う点を除いて、同様である。
【００６４】
〔端末１〕
端末１は、端末１の動作を制御する端末制御部１１と、端末制御部１１のマイクロコンピュータで実行される制御プログラム等を記憶する端末記憶部１２と、ネットワークＮを介して支援装置２等と通信を行う端末通信部１３と、利用者からの入力を可能とする端末入力部１４と、表示を可能とする端末表示部１５と、を備える。
【００６５】
端末１の種類は、特に限定されず、例えば、スマートフォン及びタブレット端末等によって例示される携帯端末、並びに、ノートパソコン及びデスクトップパソコン等によって例示されるパーソナルコンピュータ等が挙げられる。
【００６６】
［端末制御部１１］
端末制御部１１は、例えば、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等を備えるマイクロコンピュータである。
【００６７】
端末制御部１１は、所定のプログラム（支援プログラム）を読み込み、必要に応じて端末記憶部１２、端末通信部１３、端末入力部１４、及び／又は端末表示部１５等と協働することで、端末１におけるソフトウェア構成の要素である、施術指定情報送信部１１１、特徴情報送信部１１２、施術評価表示指令受信部１１３、施術手順提示指令送信部１１４、施術手順表示指令受信部１１５、及び施術手順表示部１１６等を実現する。
【００６８】
［端末記憶部１２］
端末記憶部１２は、データ及び／又はファイルが記憶される装置であって、ハードディスク、半導体メモリ、記録媒体、及びメモリカード等によって例示される記憶手段の１以上を用いて実現される、データのストレージ部を有する。
【００６９】
端末記憶部１２は、ネットワークを介してＮＡＳ（Ｎｅｔｗｏｒｋ  Ａｔｔａｃｈｅｄ  Ｓｔｏｒａｇｅ）、ＳＡＮ（Ｓｔｏｒａｇｅ  Ａｒｅａ  Ｎｅｔｗｏｒｋ）、クラウドストレージ、ファイルサーバ及び／又は分散ファイルシステム等の記憶装置又は記憶システムとの接続を可能にする仕組みを有してもよい。
【００７０】
端末記憶部１２には、マイクロコンピュータで実行される制御プログラム等が記憶されている。
【００７１】
［端末通信部１３］
端末通信部１３は、端末１をネットワークＮに接続して支援装置２等と通信可能にする通信部であれば特に限定されず、例えば、携帯電話ネットワークに対応した無線装置、ＩＥＥＥ８０２．１１に準拠したＷｉ−Ｆｉ（Ｗｉｒｅｌｅｓｓ  Ｆｉｄｅｌｉｔｙ）対応デバイス、及びイーサネット規格に対応したネットワークカード等が挙げられる。
【００７２】
［端末入力部１４］
端末入力部１４の種類は、特に限定されない。端末入力部１４は、例えば、タッチパネル、ソフトウェアキーボード、音声を認識するマイク、外部の装置から入力を受信する通信デバイス、キーボード、マウス等によって例示される入力デバイスの１以上を含んで構成される。
【００７３】
端末入力部１４がタッチパネル等の入力デバイスと表示デバイスとの両方の機能を有する場合、端末入力部１４は、端末表示部１５と一体に構成されてもよい。これにより、端末１をより小型及び／又はより軽量に構成し得る。そして、大型及び／又は重い端末を利用することに困難がある場所でも、ヘアスタイルの施術に関する支援を行える。
【００７４】
［端末表示部１５］
端末表示部１５の種類は、特に限定されない。端末表示部１５は、例えば、タッチパネル、液晶ディスプレイ（ＬＣＤディスプレイ）、有機ＥＬディスプレイ、モニタ、プロジェクタ、等によって例示される表示デバイスの１以上を含んで構成される。
【００７５】
〔支援装置２〕
［装置制御部２１］
装置制御部２１のハードウェア構成は、端末制御部１１と同様でよい。
【００７６】
装置制御部２１は、動画の生成に適したＧＰＵ（Ｇｒａｐｈｉｃｓ  Ｐｒｏｃｅｓｓｉｎｇ  Ｕｎｉｔ）を含むことが好ましい。これにより、装置制御部２１を用いて動画を生成し、生成した動画を端末１に送信し、送信された動画を端末１の端末表示部１５に表示する支援を行える。これにより、端末１が携帯端末等によって例示される処理能力が比較的低い端末である場合であっても、端末１で動画を用いた支援を行える。
【００７７】
装置制御部２１は、所定のプログラム（支援プログラム）を読み込み、必要に応じて装置記憶部２２、及び／又は装置通信部２３等と協働することで、支援装置２におけるソフトウェア構成の要素である、特徴情報受信部２１１、施術指定情報受信部２１２、施術評価表示指令部２１３、施術手順提示指令受信部２１４、及び施術手順表示指令部２１５等を実現する。
【００７８】
［装置記憶部２２］
装置記憶部２２のハードウェア構成は、端末記憶部１２と同様でよい。
【００７９】
端末記憶部１２には、マイクロコンピュータで実行される制御プログラム、特徴情報テーブル２２１、施術評価テーブル２２２、及び施術手順テーブル２２３等が記憶されている。
【００８０】
（特徴情報テーブル２２１）
図２は、特徴情報テーブル２２１の一例を示す図である。特徴情報テーブル２２１は、人物の特徴に関し、髪質情報を含む特徴情報を格納するテーブルである。
【００８１】
特徴情報テーブル２２１は、特徴情報と該特徴情報を識別可能な特徴情報ＩＤとを関連付けて記憶可能であることが好ましい。これにより、特徴情報の取得及び格納が容易となる。
【００８２】
特徴情報は、人物の毛髪の性質に関する髪質情報を少なくとも含む。特徴情報が人物の毛髪の性質に関する髪質情報を少なくとも含むことにより、髪質情報を用いた支援を行える。
【００８３】
特徴情報は、特徴情報が示す特徴を有する人物に対して施す施術に関する施術情報を含むことが好ましい。これにより、施術に応じて特徴情報を用いた支援を行い得る。
【００８４】
施術情報がカッティング施術を示す情報を含む場合、髪質情報は、毛髪の根元の浮き具合及び毛髪がつむじを中心に流れる向きを判別可能な情報を含むことが好ましい。
【００８５】
毛髪を切るカッティング施術では、毛髪の根元の浮き具合と毛髪がつむじを中心に流れる向きとによって、施術の適切な手順が変わり得る。例えば、毛髪の根元が浮いている場合に毛髪を短く切ると、切られた毛髪が毛髪の根元が浮いていない場合よりも浮く。これにより、施術後のヘアスタイルが変わり得る。これにより、ヘアスタイルの施術を受ける被施術者の満足度が低下し得る。
【００８６】
また、毛髪を切るカッティング施術では、毛髪がつむじを中心に流れる向きが右流れの向きである場合に毛髪がつむじを中心に流れる向きが左流れの向きの場合に適した手順で毛髪を切ると、毛髪の流れる向きの違いによって施術後のヘアスタイルの形状が変わり得る。これにより、ヘアスタイルの施術を受ける被施術者の満足度が低下し得る。
【００８７】
施術情報がカッティング施術を示す情報を含む場合に髪質情報が毛髪の根元の浮き具合及び毛髪がつむじを中心に流れる向きを判別可能な情報を含むことにより、施術指定情報と毛髪の根元の浮き具合及び毛髪がつむじを中心に流れる向きとに基づいてカッティング施術の施術評価及び／又は施術手順を表示する支援を行える。
【００８８】
毛髪の根元の浮き具合を判別可能な情報は、特に限定されず、例えば、毛髪の根元の浮き具合を「浮く」「普通」「沈む」等に分類する情報及び毛髪の根元の浮き具合を数値によって示す情報等の１以上を含む情報でよい。
【００８９】
毛髪がつむじを中心に流れる向きを判別可能な情報は、特に限定されず、例えば、毛髪がつむじを中心に流れる向きを「左流れ」「普通」「右流れ」「放射線状」等に分類する情報等でよい。
【００９０】
施術情報がパーマ施術を示す情報を含む場合、特徴情報は、人物の頭部の形状に関する頭部形状情報を含むことが好ましい。
【００９１】
毛髪にパーマネントウェーブを施すパーマ施術を施す場合、パーマ施術を施したヘアスタイルは、人物の頭部の形状によって似合うかが変わり得る。すなわち、人物の頭部の形状によってパーマ施術の評価が変わり得る。例えば、毛髪が下方向に向かって広がるＡラインのパーマ施術を施したヘアスタイルは、頭部の形状が面長である人物及び頭部の形状が丸顔である人物に似合い得る。また、毛髪がＳ字を描くＳラインのパーマ施術を施したヘアスタイルは、頬骨近傍の幅が広いエラ張り顔の人物に似合い得る。
【００９２】
施術情報がパーマ施術を示す情報を含む場合に特徴情報が人物の頭部の形状に関する頭部形状情報を含むことにより、人物の頭部の形状に関する頭部形状情報と、パーマ施術を指定する情報を含む施術指定情報と、に基づいてパーマ施術の施術評価及び／又は施術手順を表示する支援を行える。
【００９３】
頭部形状情報は、特に限定されず、例えば、「（頭部の目より高い部分の形状が）普通」「フラット（頭頂部が平ら）」「ゼッペキ（後頭部が平ら）」「ハチハリ（頭頂部と側頭部とのつなぎ目が正面からみたときに広い）」等によって例示される頭部の目より高い部分の形状を示す情報、及び、「（正面からみた頭部の形状が）普通」「丸顔（正面からみた頭部が丸い）」「逆三角顔（正面からみた頭部が略逆三角形）」「面長（正面からみた頭部が縦に長い）」「ベース型顔（正面からみた頭部が野球のホームベースの形状に類似している）」「エラ張り顔（正面からみた頭部が頬骨の位置近傍で広い）」等によって例示される頭部を正面からみた形状を示す情報等の１以上を含む情報でよい。
【００９４】
施術情報が前髪カット施術を示す情報を含む場合、特徴情報は、毛髪の生え際の位置に関する生え際情報を含むことが好ましい。
【００９５】
毛髪を切るカッティング施術のうち、前髪を切る前髪カット施術は、人物の背面側より目立つ人物の正面側にある前髪を切る施術であるため、前髪カット施術により、ヘアスタイルが与える印象が大きく変わり得る。前髪カット施術は、大きく印象を変え得る施術であるため、前髪を所定の方向に流すように切る施術、前髪を長く切る施術、前髪を所定の方向に流しながら長く切る施術等によって例示される、様々な前髪カット施術がある。様々な前髪カット施術を訓練することにより、被施術者は、被施術者がよりいっそう満足するヘアスタイルの施術を行えるようになり得る。
【００９６】
前髪カット施術を施す場合、前髪カット施術を施したヘアスタイルは、毛髪の生え際の位置によって似合うかが変わり得る。すなわち、毛髪の生え際の位置によって前髪カット施術の評価が変わり得る。例えば、生え際が高い位置にある場合（おでこが広い場合）と生え際が低い位置にある場合（おでこが狭い場合）とで、前髪を所定の方向に流すように切る同様の施術を施しても、その評価が変わり得る。
【００９７】
施術情報が前髪カット施術を示す情報を含む場合に特徴情報が毛髪の生え際の位置に関する生え際情報を含むことにより、毛髪の生え際の位置に関する生え際情報に基づいて前髪カット施術の施術評価及び／又は施術手順を表示する支援を行える。
【００９８】
生え際情報は、特に限定されず、例えば、「おでこが広い」「おでこの広さが普通」「おでこが狭い」等によって例示される情報でよい。
【００９９】
施術情報が前髪カット施術を示す情報を含む場合、髪質情報は、毛髪の量に関する情報を含むことが好ましい。
【０１００】
前髪カット施術を施す場合、前髪カット施術を施したヘアスタイルは、毛髪の量によって似合うかが変わり得る。すなわち、毛髪の量によって前髪カット施術の評価が変わり得る。例えば、毛髪が多い場合と毛髪が少ない場合とで、前髪を短く切って横に流す同様の施術を施しても、その評価が変わり得る。
【０１０１】
毛髪の量に関する情報は、特に限定されず、例えば、「髪の量が多い」「髪の量が普通」「髪の量が少ない」等によって例示される情報でよい。
【０１０２】
施術情報がカラーリング施術を示す情報を含む場合、髪質情報は、毛髪の太さを判別可能な情報を含むことが好ましい。
【０１０３】
毛髪を染めるカラーリング施術では、毛髪の太さによって毛髪の染まり方が異なる。したがって、毛髪の太さによって、カラーリング施術の適切な手順が異なり得る。毛髪の太さに応じたカラーリング施術の適切な手順を訓練することにより、被施術者は、被施術者がよりいっそう満足するヘアスタイルの施術を行えるようになり得る。
【０１０４】
施術情報がカラーリング施術を示す情報を含む場合に髪質情報が毛髪の太さを判別可能な情報を含むことにより、施術指定情報と毛髪の太さとに基づいてカラーリング施術の施術評価及び／又は施術手順を表示する支援を行える。
【０１０５】
毛髪の太さを判別可能な情報は、特に限定されず、例えば毛髪の太さを「太い」「普通」「細い」等に分類する情報及び毛髪の太さを数値によって示す情報等の１以上を含む情報でよい。
【０１０６】
施術情報がカラーリング施術を示す情報を含む場合、髪質情報は、毛髪の傷みを判別可能な情報を含むことが好ましい。
【０１０７】
毛髪を染めるカラーリング施術では、毛髪の傷みによってカラーリング施術に用いる薬剤が与える影響が異なる。したがって、毛髪の傷みによって、カラーリング施術の手順のうち、カラーリング施術に用いる適切な薬剤が異なり得る。毛髪の傷みに応じたカラーリング施術の適切な手順を訓練することにより、被施術者は、被施術者がよりいっそう満足するヘアスタイルの施術を行えるようになり得る。
【０１０８】
毛髪の傷みを判別可能な情報は、特に限定されず、例えば毛髪の傷みを「傷んでいる」「普通」「あまり傷んでいない」等に分類する情報及び毛髪の傷みを数値によって示す情報等の１以上を含む情報でよい。
【０１０９】
施術情報がカラーリング施術を示す情報を含む場合、髪質情報は、毛髪の色を判別可能な情報を含むことが好ましい。
【０１１０】
毛髪を染めるカラーリング施術では、毛髪の色によってカラーリング施術後の毛髪の色が異なる。したがって、毛髪の色によって、カラーリング施術の手順のうち、カラーリング施術に用いる適切な薬剤が異なり得る。毛髪の色に応じたカラーリング施術の適切な手順を訓練することにより、被施術者は、被施術者がよりいっそう満足するヘアスタイルの施術を行えるようになり得る。
【０１１１】
毛髪の色を判別可能な情報は、特に限定されず、例えば毛髪の色を「黒い」「普通」「茶色」等に分類する情報及び毛髪の色を数値によって示す情報等の１以上を含む情報でよい。
【０１１２】
図２の特徴情報ＩＤ「ＦＩ０００１」と関連付けられた特徴情報ＦＩ０００１には、カッティング施術を示す施術情報と、「毛髪の根元が浮いている」ことを示す情報及び「毛髪がつむじを中心に左流れ」であることを示す情報を含む髪質情報並びに頭部の形状が「上部：普通」「正面：普通」であることを示す頭部形状情報を有する特徴情報とが含まれている。これにより、施術指定情報と毛髪の根元が浮いていること及び毛髪がつむじを中心に左流れであることと普通の頭部形状であることとに基づいてカッティング施術の施術評価及び／又は施術手順を表示する支援を行える。
【０１１３】
図２の特徴情報ＩＤ「ＦＩ０００２」と関連付けられた特徴情報ＦＩ０００２には、パーマ施術を示す施術情報と、「毛髪の根本の浮き具合は普通」であること、「髪が細い」こと、及び「髪のダメージ：１」であることを示す情報を含む髪質情報及び「エラ張り顔」を有する特徴情報とが含まれている。これにより、人物の頭部の形状がエラ張り顔であることと、髪が細いことと、髪が「髪のダメージ：３」に相当するダメージを受けていることと、パーマ施術を指定する情報を含む施術指定情報と、に基づいてパーマ施術の施術評価及び／又は施術手順を表示する支援を行える。
【０１１４】
図２の特徴情報ＩＤ「ＦＩ０００３」と関連付けられた特徴情報ＦＩ０００３には、前髪カット施術を示す施術情報と、「おでこは普通」であることを示す生え際情報と、「髪の量が多い」こと、「毛髪の根本が浮いている」こと、及び「毛髪の流れが放射状」であることを示す髪質情報と、を有する特徴情報とが含まれている。これにより、おでこの広さが普通であることと、髪の量が多いことと、毛髪の根本が浮いていることと、毛髪の流れが放射状であることと、前髪カット施術を指定する情報を含む施術指定情報と、に基づいて前髪カット施術の施術評価及び／又は施術手順を表示する支援を行える。
【０１１５】
図２の特徴情報ＩＤ「ＦＩ０００４」と関連付けられた特徴情報ＦＩ０００４には、カラーリング施術を示す施術情報と、「髪が太い」こと及び「髪のダメージ：３」であることを示す情報を含む髪質情報を有する特徴情報とが含まれている。これにより、髪が太いことと、髪が「髪のダメージ：３」に相当するダメージを受けていることと、カラーリング施術を指定する情報を含む施術指定情報と、に基づいてカラーリング施術に対する施術評価を表示する支援を行える。
【０１１６】
（施術評価テーブル２２２）
図２は、施術評価テーブル２２２の一例を示す図である。施術評価テーブル２２２は、特徴情報及び施術指定情報と関連付けられた施術評価を格納するテーブルである。
【０１１７】
施術評価テーブル２２２が特徴情報及び施術指定情報と関連付けられた施術評価を格納するテーブルであることにより、特徴情報及び施術指定情報と関連付けられた施術評価を施術評価テーブル２２２から取得する処理によって、特徴情報と施術指定情報とに基づいて特徴情報が示す特徴を有する人物に対して施術指定情報が示す施術を施すことの施術評価を取得できる。
【０１１８】
施術評価テーブル２２２は、施術評価と該施術評価を識別可能な施術評価ＩＤとを関連付けて記憶可能であることが好ましい。これにより、施術評価の取得及び格納が容易となる。
【０１１９】
施術評価は、特に限定されず、例えば、施術を施すことの評価を数値で示す評価、施術を施すことの評価を「×」「△」「〇」等の評価段階に分類する評価、施術を施すことの評価を語句又は文で示す評価等でよい。
【０１２０】
施術指定情報は、カッティング施術、パーマ施術、前髪カット施術、カラーリング施術等によって例示される施術を指定する情報を含む。施術指定情報は、施術の内容を示す情報を含むことが好ましい。施術の内容を示す情報は、特に限定されない。
【０１２１】
施術の内容を示す情報について、施術指定情報がカッティング施術を指定する情報を含む場合、施術指定情報は、「前下がりのグラデーションボブ」「前下がりのグラデーションボブレイヤー」「後ろ下がりのグラデーション」「後ろ下がりのグラデーションレイヤー」「ワンレングス」「ワンレングスベースの前下がりグラデーションボブレイヤー」等によって例示されるカッティング施術後のヘアスタイルを示す情報をさらに含むことが好ましい。これにより、カッティング施術後のヘアスタイルを示す情報を用いた施術評価を提供できる。
【０１２２】
施術の内容を示す情報について、施術指定情報がパーマ施術を指定する情報を含む場合、施術指定情報は、「ショートＡライン」「ショートひし形」「ミドルＡライン」「ミドルＳライン」「ミドルひし形」等によって例示されるパーマ施術後のヘアスタイルを示す情報をさらに含むことが好ましい。これにより、パーマ施術後のヘアスタイルを示す情報を用いた施術評価を提供できる。
【０１２３】
施術の内容を示す情報について、施術指定情報が、前髪カット施術を指定する情報を含む場合、施術指定情報は、「短い前髪」「流し前髪」「流し前髪少し長め」「流し前髪長め」等によって例示される前髪カット施術後のヘアスタイルを示す情報をさらに含むことが好ましい。これにより、前髪カット施術後のヘアスタイルを示す情報を用いた施術評価を提供できる。
【０１２４】
施術の内容を示す情報について、施術指定情報が、カラーリング施術を指定する情報を含む場合、施術指定情報は、「髪に黄色の細い縞模様を入れるデザインカラー」「髪に黄色の太い縞模様を入れるデザインカラー」「頭頂部付近を除く髪に黄色の細い縞模様を入れるデザインカラー」「後ろ髪に黄色の縞模様を入れるデザインカラー」「髪をピンク色にするワンメイクカラー」等によって例示されるカラーリング施術後のヘアスタイルを示す情報をさらに含むことが好ましい。これにより、カラーリング施術後のヘアスタイルを示す情報を用いた施術評価を提供できる。
【０１２５】
特徴情報は、特に限定されず、例えば、特徴情報テーブル２２１に記載された各種の特徴情報でよい。
【０１２６】
図３の施術評価ＩＤ「ＴＲ０００１」と関連付けられた施術評価ＴＲ０００１は、施術評価「〇」（高い評価に相当）を示す施術評価である。該施術評価は、「前下がりのグラデーションボブ」にするカッティング施術を指定する施術指定情報と、「毛髪の根元が浮いている」ことを示す情報及び「毛髪がつむじを中心に左流れ」であることを示す情報を含む髪質情報並びに頭部の形状が「上部：普通」「正面：普通」であることを示す頭部形状情報を有する特徴情報と、関連付けられている。
【０１２７】
これにより、毛髪の根元が浮いており、毛髪がつむじを中心に左流れであり、頭部形状が普通である人物に前下がりのグラデーションボブにするカッティング施術を施すことの施術評価が「〇」で示される高い評価であると表示する支援を行える。
【０１２８】
図３の施術評価ＩＤ「ＴＲ０００２」と関連付けられた施術評価ＴＲ０００２は、施術評価「×」（低い評価に相当）を示す施術評価である。該施術評価は、「ショートＡライン」にするパーマ施術を指定する施術指定情報と、「毛髪の根本の浮き具合は普通」であること、「髪が細い」こと、及び「髪のダメージ：１」であることを示す情報を含む髪質情報及び「エラ張り顔」を有する特徴情報と、関連付けられている。
【０１２９】
これにより、毛髪の根本の浮き具合は普通であり、髪が細く、「髪のダメージ：１」によって示される髪のダメージであり、エラ張り顔である人物にショートＡラインにするパーマ施術を施すことの施術評価が「×」で示される低い評価であると表示する支援を行える。
【０１３０】
図３の施術評価ＩＤ「ＴＲ０００３」と関連付けられた施術評価ＴＲ０００３は、施術評価「△」（中程度の評価に相当）を示す施術評価である。該施術評価は、「短い前髪」にする前髪カット施術を指定する施術指定情報と、「おでこが狭い」であることを示す生え際情報と、「髪の量が多い」こと、「毛髪の根本が浮いている」こと、及び「毛髪の流れが放射状」であることを示す髪質情報と、を有する特徴情報と、関連付けられている。
【０１３１】
これにより、おでこが狭く、髪の量が多く、毛髪の根本が浮いており、毛髪の流れが放射状である人物に短い前髪にする前髪カット施術を施すことの施術評価が「△」で示される中程度の評価であると表示する支援を行える。
【０１３２】
（施術手順テーブル２２３）
図４は、施術手順テーブル２２３の一例を示す図である。施術手順テーブル２２３は、特徴情報及び施術指定情報に関連付けて施術手順を格納するテーブルである。
【０１３３】
施術手順テーブル２２３が特徴情報及び施術指定情報に関連付けて施術手順を格納するテーブルであることにより、特徴情報及び施術指定情報と関連付けられた施術手順を施術手順テーブル２２３から取得する処理によって、特徴情報と施術指定情報とに基づいて特徴情報が示す特徴を有する人物に対して施術指定情報が示す施術を施すときの適切な施術手順を取得できる。
【０１３４】
施術手順テーブル２２３は、施術手順と該施術手順を識別可能な施術手順ＩＤとを関連付けて記憶可能であることが好ましい。これにより、施術手順の取得及び格納が容易となる。
【０１３５】
特徴情報及び施術指定情報は、特に限定されず、例えば、施術評価テーブル２２２に記載された各種の特徴情報及び施術指定情報と同様の情報でよい。
【０１３６】
施術手順は、特に限定されない。施術手順は、例えば、施術の様子を示すことが可能な３次元モデル、施術の様子を示す動画、施術の様子を示す画像、施術の様子を示す文字列等によって例示される施術の様子を示す情報の１以上を含む施術手順でよい。
【０１３７】
施術指定情報がカッティング施術及び／又は前髪カット施術を指定する情報を含む場合、施術手順は、毛髪が含む髪束のそれぞれについて、該髪束を切る位置、該髪束を切る量、該髪束を切る角度、該髪束を切る用具（例えば、ハサミ等）の動き、複数の髪束のそれぞれに施術を施す順番等によって例示される髪束を切る手順のいずれか１以上を含むことが好ましい。これにより、髪束ごとに毛髪を切る手順を取得できる。したがって、毛髪全体を切る手順のみを表示する場合より詳細な手順を表示する支援を行える。
【０１３８】
施術指定情報がパーマ施術を指定する情報を含む場合、施術手順は、毛髪が含む髪束のそれぞれについて、パーマ施術に用いるパーマ用具（例えば、髪を巻き付けるロッド及びカーラー等）を取付ける位置及びパーマ用具の取り付け方を有する髪束にパーマ用具を用いる手順を含むことが好ましい。これにより、髪束ごとにパーマ用具を用いる手順を取得できる。したがって、毛髪全体にパーマ施術を施す手順のみを表示する場合より詳細な手順を表示する支援を行える。
【０１３９】
また、施術指定情報がパーマ施術を指定する情報を含む場合、施術手順は、複数の髪束のそれぞれに施術を施す順番を含むことが好ましい。これにより、複数の髪束のそれぞれに施術を施す順番を提供する支援を行える。
【０１４０】
施術指定情報がカラーリング施術を指定する情報を含む場合、施術手順は、毛髪が含む髪束のそれぞれについて、カラーリングを施す位置、カラーリングを施す範囲、範囲に応じたカラーリングの色、複数の髪束のそれぞれに施術を施す順番等によって例示される髪束ごとにカラーリングを施す手順のいずれか１以上を含むことが好ましい。これにより、髪束ごとにカラーリングを施す手順を取得できる。したがって、毛髪全体にカラーリングを施す手順のみを表示する場合より詳細な手順を表示する支援を行える。
【０１４１】
施術指定情報がカラーリング施術を指定する情報を含む場合、施術手順は、カラーリング施術に用いる薬剤に関する情報を含むことが好ましい。
【０１４２】
毛髪を染めるカラーリング施術では、毛髪の傷み、毛髪の太さ、及び／又は毛髪の色によってカラーリング施術に用いる薬剤が与える影響が異なる。
【０１４３】
施術指定情報がカラーリング施術を指定する情報を含む場合に施術手順がカラーリング施術に用いる薬剤に関する情報を含むことにより、毛髪の傷み、毛髪の太さ、及び／又は毛髪の色によってカラーリング施術に用いる薬剤が与える影響をも考慮した、より詳細な手順を表示する支援を行える。
【０１４４】
図４の施術手順ＩＤ「ＴＳ０００１」と関連付けられた施術手順ＴＳ０００１は、後ろ髪を切る手順を示す３次元モデル及び施術を施す髪束の順番を示す情報等を含む施術手順である。該施術手順は、「カッティング施術」であり、人物のヘアスタイルを「前下がりのグラデーションボブ」にする施術を示す施術指定情報と、「毛髪の根元が浮いている」ことを示す情報及び「毛髪がつむじを中心に左流れ」であることを示す情報を含む髪質情報並びに頭部の形状が「上部：普通」「正面：普通」であることを示す頭部形状情報を有する特徴情報と、関連付けられている。
【０１４５】
これにより、毛髪の根元が浮いており、毛髪がつむじを中心に左流れであり、頭部形状が普通である人物に前下がりのグラデーションボブにするカッティング施術を施す手順を訓練するときに、上述の施術手順を提供する支援を行える。したがって、カッティング施術について、毛髪全体を切る手順のみを表示する場合より詳細な手順を表示する支援を行える。
【０１４６】
図４の施術手順ＩＤ「ＴＳ０００２」と関連付けられた施術手順ＴＳ０００２は、右側の後ろ髪の髪束にパーマ用具（ロッド）を取付ける手順を示す３次元モデル及び施術を施す髪束の順番を示す情報等を含む施術手順である。該施術手順は、「パーマ施術」であり、人物のヘアスタイルを「ショートＡライン」にする施術を示す施術指定情報と、「毛髪の根本の浮き具合は普通」であること、「髪が細い」こと、及び「髪のダメージ：１」であることを示す情報を含む髪質情報及び「エラ張り顔」を有する特徴情報と、が関連付けられている。
【０１４７】
これにより、毛髪の根本の浮き具合は普通であり、髪が細く、「髪のダメージ：１」によって示される髪のダメージであり、エラ張り顔である人物にショートＡラインにするパーマ施術を施す手順を訓練するときに、上述の施術手順を提供する支援を行える。したがって、パーマ施術について、毛髪全体にパーマ施術を施す手順のみを表示する場合より詳細な手順を表示する支援を行える。
【０１４８】
図４の施術手順ＩＤ「ＴＳ０００３」と関連付けられた施術手順ＴＳ０００３には、前髪の中央部の髪束を切る手順を示す３次元モデル及び施術を施す髪束の順番を示す情報等を含む施術手順である。該施術手順は、「短い前髪」にする前髪カット施術を指定する施術指定情報と、「おでこが狭い」であることを示す生え際情報と、「髪の量が多い」こと、「毛髪の根本が浮いている」こと、及び「毛髪の流れが放射状」であることを示す髪質情報と、を有する特徴情報と、関連付けられている。
【０１４９】
これにより、おでこが狭く、髪の量が多く、毛髪の根本が浮いており、毛髪の流れが放射状である人物に短い前髪にする前髪カット施術を施す手順を訓練するときに、上述の施術手順を提供する支援を行える。したがって、毛髪全体を切る手順のみを表示する場合より詳細な手順を表示する支援を行える。
【０１５０】
図４の施術手順ＩＤ「ＴＳ０００４」と関連付けられた施術手順ＴＳ０００４は、頭頂部の髪束にカラーリング施術を施す手順を示す３次元モデル及び施術を施す髪束の順番を示す情報等を含む施術手順である。該施術手順は、「髪に黄色の細い縞模様を入れるデザインカラー」を施すカラーリング施術を指定する施術指定情報と、「髪が太い」こと及び「髪のダメージ：３」であることを示す情報を含む髪質情報を有する特徴情報と、関連付けられている。
【０１５１】
これにより、髪が太く、髪が「髪のダメージ：３」に相当するダメージを受けている人物に「髪に黄色の細い縞模様を入れるデザインカラー」を施すカラーリング施術を施す手順を訓練するときに、上述の施術手順を提供する支援を行える。したがって、毛髪全体にカラーリング施術を施す手順のみを表示する場合より詳細な手順を表示する支援を行える。
【０１５２】
［装置通信部２３］
装置通信部２３は、支援装置２をネットワークＮに接続して端末１等と通信可能にする通信部であれば特に限定されず、例えば、ＩＥＥＥ８０２．１１に準拠したＷｉ−Ｆｉ（Ｗｉｒｅｌｅｓｓ  Ｆｉｄｅｌｉｔｙ）対応デバイス及びイーサネット規格に対応したネットワークカード等が挙げられる
【０１５３】
〔ネットワークＮ〕
ネットワークＮの種類は、端末１と支援装置２とを通信可能にするネットワークであれば特に限定されず、例えば、パーソナルエリアネットワーク、ローカルエリアネットワーク、イントラネット、エクストラネット、インターネット、Ｗｉ−Ｆｉネットワーク、携帯電話ネットワーク、あるいはこれらのネットワークを複数組み合わせたネットワーク等が挙げられる。
【０１５４】
〔端末１を用いた支援処理のフローチャート〕
図５は、本実施形態の端末１で実行される端末１を用いた支援処理の好ましい流れの一例を示すメインフローチャートである。以下、図５を用いて、端末１で実行される端末１を用いた支援処理の好ましい手順の一例を説明する。
【０１５５】
［ステップＳ１：施術が指定されたかを判別］
端末制御部１１は、端末記憶部１２、端末入力部１４、及び端末表示部１５と協働し、施術指定情報送信部１１１を実行して、施術が指定されたかを判別する（ステップＳ１）。施術が指定されたならば、端末制御部１１は、処理をステップＳ２に移す。施術が指定されていないならば、端末制御部１１は、処理をステップＳ１に移す。施術が指定されたかを判別することにより、指定された施術を示す施術指定情報を用いた支援を行える。
【０１５６】
施術が指定されたかを判別する処理は、特に限定されない。図６は、端末１の端末表示部１５に表示された、施術指定情報の入力を行う施術指定情報入力画面の一例を示す概略図である。施術が指定されたかを判別する処理は、例えば、図６に示す端末表示部１５に、指定の対象となる複数の施術を示す施術指定領域ＳＴを表示し、端末入力部１４を用いていずれかの施術を指定する入力が行われたことを判別する手段等でよい。
【０１５７】
端末表示部１５に施術指定領域ＳＴを表示する場合、端末表示部１５に、複数の施術から１つの施術を指定することを促す施術指定提案表示ＭＳＴを表示することが好ましい。これにより、端末１を利用する施術者等は、複数の施術から１つの施術を指定することがわかる。
【０１５８】
［ステップＳ２：特徴情報の入力］
端末制御部１１は、端末記憶部１２、端末入力部１４、及び端末表示部１５と協働し、特徴情報送信部１１２を実行して、特徴情報を入力する（ステップＳ２）。端末制御部１１は、処理を、ステップＳ３へ移す。特徴情報を入力することにより、入力された特徴情報を用いた支援を行える。ステップＳ２において実行される特徴情報を入力する特徴情報入力処理は、のちに図７を用いてより詳細に説明する。
【０１５９】
［ステップＳ３：特徴情報を送信］
端末制御部１１は、必要に応じて端末記憶部１２、及び／又は端末通信部１３と協働し、特徴情報送信部１１２を実行して、ステップＳ２において入力された特徴情報を支援装置２等へ送信する（ステップＳ２、特徴情報送信ステップ）。端末制御部１１は、処理を、ステップＳ４へ移す。これにより、支援装置２等において、入力された特徴情報を用いた支援を行える。
【０１６０】
［ステップＳ４：施術評価を表示］
端末制御部１１は、必要に応じて端末記憶部１２、端末通信部１３、及び／又は端末表示部１５と協働し、施術評価表示指令受信部１１３及び施術手順提示指令送信部１１４を実行して、支援装置２等から受信した施術評価表示指令に基づいて施術評価を表示する（ステップＳ４）。端末制御部１１は、処理を、ステップＳ５へ移す。支援装置２等から受信した施術評価を表示することにより、端末１を利用する利用者は、表示された施術評価を用いて施術手順を表示するかを判断し得る。ステップＳ４において実行される施術評価を表示する施術評価表示処理は、のちに図９を用いてより詳細に説明する。
【０１６１】
施術評価は、ステップＳ３において送信された特徴情報と、ステップＳ１等において指定された施術指定情報とに基づく、特徴情報が示す特徴を有する人物に施術指定情報が示す施術を施すことの施術評価である。そして、ステップＳ３において送信された特徴情報は、人物の毛髪の性質に関する髪質情報を含む。
【０１６２】
したがって、ステップＳ４に係る施術評価表示処理を行うことにより、施術者は、当該人物の毛髪の性質を判別するだけで、施術が当該人物に適するか否かを判別して、訓練を行うかを判断し、訓練を行う場合に施術手順の表示を指令できる。これにより、訓練を行わない場合に不要の表示を行い、施術者に不要の表示を確認する負担をかけることを防ぎ得る。
【０１６３】
［ステップＳ５：施術手順表示指令を受信したかを判別］
端末制御部１１は、必要に応じて端末記憶部１２、及び／又は端末通信部１３と協働し、施術手順表示指令受信部１１５を実行して、施術手順表示指令を支援装置２等から受信したかを判別する（ステップＳ５、施術手順表示指令受信ステップ）。施術手順表示指令を受信したならば、端末制御部１１は、処理をステップＳ６に移す。施術手順表示指令を受信していないならば、端末制御部１１は、処理をステップＳ７に移す。施術手順表示指令を受信したかを判別することにより、施術手順表示指令を受信したときに、受信した施術手順表示指令が示す施術手順を表示する支援を行える。
【０１６４】
施術手順表示指令は、ステップＳ３において送信された特徴情報と、ステップＳ１等において指定された施術指定情報とに基づく手順を表示するよう指令する指令である。そして、ステップＳ３において送信された特徴情報は、人物の毛髪の性質に関する髪質情報を含む。
【０１６５】
したがって、施術手順表示指令受信ステップを実行することにより、髪質情報等の施術を施される人物の情報をよりいっそう反映した施術手順を表示し得る。そして、表示した施術手順を用いて、施術を施される人物の情報をよりいっそう反映した訓練を行えるよう要訓練施術者を支援できる。
【０１６６】
［ステップＳ６：施術手順を表示］
端末制御部１１は、必要に応じて端末記憶部１２、端末通信部１３、端末入力部１４、及び／又は端末表示部１５と協働し、施術手順表示部１１６を実行して、ステップＳ５で受信した施術手順表示指令が示す施術手順を表示する（ステップＳ６、施術手順表示ステップ）。端末制御部１１は、処理を、ステップＳ７へ移す。施術手順を表示することにより、端末１を利用する利用者は、表示された施術手順を用いた訓練を行える。ステップＳ６において実行される施術手順を表示する施術手順表示処理は、のちに図１３を用いてより詳細に説明する。
【０１６７】
［ステップＳ７：施術評価を表示するか判別］
端末制御部１１は、端末記憶部１２、端末入力部１４、及び端末表示部１５と協働し、施術手順表示部１１６を実行して、施術評価を表示するか判別する（ステップＳ７）。施術評価を表示するならば、端末制御部１１は、処理をステップＳ４に移す。施術評価を表示しないならば、端末制御部１１は、処理をステップＳ８に移す。施術評価を表示するか判別することにより、施術評価を表示するときに、ステップＳ４で実行される施術評価表示処理を実行できる。
【０１６８】
［ステップＳ８：特徴情報を入力するか判別］
端末制御部１１は、端末記憶部１２、端末入力部１４、及び端末表示部１５と協働し、施術手順表示部１１６を実行して、特徴情報を入力するか判別する（ステップＳ８）。特徴情報を入力するならば、端末制御部１１は、処理をステップＳ２に移す。特徴情報を入力しないならば、端末制御部１１は、処理をステップＳ１に戻し、ステップＳ１からステップＳ８の処理を繰り返す。特徴情報を入力するか判別することにより、特徴情報を入力するときに、ステップＳ２で実行される特徴情報入力処理を実行できる。
【０１６９】
図７は、端末１における特徴情報入力処理の好ましい流れの一例を示すフローチャートである。以下、図７を用いて、図５のステップＳ２で実行される端末１における特徴情報入力処理の好ましい手順の一例を説明する。
【０１７０】
［ステップＳ１１：カッティング施術が指定されたか判別］
端末制御部１１は、端末記憶部１２、及び端末入力部１４と協働し、特徴情報送信部１１２を実行して、カッティング施術が指定されたか判別する（ステップＳ１１）。カッティング施術が指定されたならば、端末制御部１１は、処理をステップＳ１２に移す。カッティング施術が指定されていないならば、端末制御部１１は、処理をステップＳ１３に移す。カッティング施術が指定されたか判別することにより、カッティング施術が指定されたときに、カッティング施術に関する特徴情報を受信したか判別する処理を行える。
【０１７１】
［ステップＳ１２：カッティング施術に関する特徴情報を受信したか判別］
端末制御部１１は、端末記憶部１２、端末入力部１４、及び端末表示部１５と協働し、特徴情報送信部１１２を実行して、カッティング施術に関する特徴情報を受信したか判別する（ステップＳ１２）。カッティング施術に関する特徴情報を受信したならば、端末制御部１１は、特徴情報入力処理を終了し、処理をステップＳ３に移す。カッティング施術に関する特徴情報を受信していないならば、端末制御部１１は、処理をステップＳ１２に移す。カッティング施術に関する特徴情報を受信したか判別することにより、カッティング施術に関する特徴情報を受信したときに受信した特徴情報を送信する処理を行える。
【０１７２】
カッティング施術に関する特徴情報を受信したか判別する処理は、特に限定されない。図８は、端末１の端末表示部１５に表示された、特徴情報の入力を行う特徴情報入力画面の一例を示す概略図である。カッティング施術に関する特徴情報を受信したか判別する処理は、例えば、図８に示すような特徴情報入力画面を端末１の端末表示部１５に表示し、端末入力部１４を用いてカッティング施術に関する特徴情報が入力されたことを判別する手段等でよい。
【０１７３】
図８に示す特徴情報入力画面は、３次元モデルを用いて指定された特徴を表示する特徴表示領域ＤＦ、「頭の形」（頭部の目より高い部分の形状）に関する特徴を入力する第１特徴入力領域ＳＦ１、「顔の形」（頭部を正面からみた形状）に関する特徴を入力する第２特徴入力領域ＳＦ２、「髪の根元」（毛髪の根元の浮き具合）に関する髪質情報を入力する第３特徴入力領域ＳＦ３、「毛の方向」（毛髪がつむじを中心に流れる向き）に関する髪質情報を入力する第４特徴入力領域ＳＦ４、及び直前の画面に遷移する処理を指定する直前画面遷移領域ＴＰＤを含む。
【０１７４】
これにより、端末１を利用する利用者は、３次元モデルを用いて表示される特徴を確認しながら、カッティング施術に関する特徴情報である、毛髪の根元の浮き具合及び毛髪がつむじを中心に流れる向きを含む髪質情報、頭部の目より高い部分の形状、並びに頭部を正面からみた形状を有する特徴情報を入力できる。
【０１７５】
特徴表示領域ＤＦは、３次元モデルを異なる向きから見ることができるよう構成されることが好ましい。これにより、当該特徴を有する人物を様々な向きから見る訓練を支援できる。３次元モデルを異なる向きから見る手段は、特に限定されず、例えば、特徴表示領域ＤＦ上及び／又は３次元モデル上におけるポインティングデバイス（例えば、タッチパネル、マウス等。）を用いた操作に応じて３次元モデルの向きを変える手段等でよい。
【０１７６】
第１−４特徴入力領域ＳＦ１−４は、カッティング施術に関する特徴情報を入力する領域であれば、特に限定されない。また、第５特徴入力領域等によって例示されるカッティング施術に関する特徴情報を入力する１以上の領域をさらに端末表示部１５に表示してもよい。
【０１７７】
［ステップＳ１３：パーマ施術が指定されたか判別］
端末制御部１１は、端末記憶部１２、及び端末入力部１４と協働し、特徴情報送信部１１２を実行して、パーマ施術が指定されたか判別する（ステップＳ１３）。パーマ施術が指定されたならば、端末制御部１１は、処理をステップＳ１４に移す。パーマ施術が指定されていないならば、端末制御部１１は、処理をステップＳ１５に移す。パーマ施術が指定されたか判別することにより、パーマ施術が指定されたときに、パーマ施術に関する特徴情報を受信したか判別する処理を行える。
【０１７８】
［ステップＳ１４：パーマ施術に関する特徴情報を受信したか判別］
端末制御部１１は、端末記憶部１２、端末入力部１４、及び端末表示部１５と協働し、特徴情報送信部１１２を実行して、パーマ施術に関する特徴情報を受信したか判別する（ステップＳ１４）。パーマ施術に関する特徴情報を受信したならば、端末制御部１１は、特徴情報入力処理を終了し、処理をステップＳ３に移す。パーマ施術に関する特徴情報を受信していないならば、端末制御部１１は、処理をステップＳ１４に移す。パーマ施術に関する特徴情報を受信したか判別することにより、パーマ施術に関する特徴情報を受信したときに受信した特徴情報を送信する処理を行える。
【０１７９】
パーマ施術に関する特徴情報を受信したか判別する処理は、特に限定されない。パーマ施術に関する特徴情報を受信したか判別する処理は、例えば、図８に示すような特徴情報入力画面を端末１の端末表示部１５に表示し、端末入力部１４を用いてパーマ施術に関する特徴情報が入力されたことを判別する手段等でよい。
【０１８０】
パーマ施術に関する特徴情報を受信したか判別する処理は、第２特徴入力領域ＳＦ２が毛髪の傷みの度合いを入力する領域であり、第４特徴入力領域ＳＦ４が毛髪の太さを入力する領域である点を除いて、カッティング施術に関する特徴情報を受信したか判別する処理と同じである。
【０１８１】
これにより、端末１を利用する利用者は、３次元モデルを用いて表示される特徴を確認しながら、パーマ施術に関する特徴情報である、毛髪の傷みの度合い、毛髪の根元の浮き具合及び毛髪の太さを含む髪質情報、並びに頭部の目より高い部分の形状を有する特徴情報を入力できる。
【０１８２】
第１−４特徴入力領域ＳＦ１−４は、パーマ施術に関する特徴情報を入力する領域であれば、特に限定されない。また、第５特徴入力領域等によって例示されるパーマ施術に関する特徴情報を入力する１以上の領域をさらに端末表示部１５に表示してもよい。
【０１８３】
［ステップＳ１５：前髪カット施術が指定されたか判別］
端末制御部１１は、端末記憶部１２、及び端末入力部１４と協働し、特徴情報送信部１１２を実行して、前髪カット施術が指定されたか判別する（ステップＳ１５）。前髪カット施術が指定されたならば、端末制御部１１は、処理をステップＳ１６に移す。前髪カット施術が指定されていないならば、端末制御部１１は、処理をステップＳ１７に移す。前髪カット施術が指定されたか判別することにより、前髪カット施術が指定されたときに、前髪カット施術に関する特徴情報を受信したか判別する処理を行える。
【０１８４】
［ステップＳ１６：前髪カット施術に関する特徴情報を受信したか判別］
端末制御部１１は、端末記憶部１２、端末入力部１４、及び端末表示部１５と協働し、特徴情報送信部１１２を実行して、前髪カット施術に関する特徴情報を受信したか判別する（ステップＳ１６）。前髪カット施術に関する特徴情報を受信したならば、端末制御部１１は、特徴情報入力処理を終了し、処理をステップＳ３に移す。前髪カット施術に関する特徴情報を受信していないならば、端末制御部１１は、処理をステップＳ１６に移す。前髪カット施術に関する特徴情報を受信したか判別することにより、前髪カット施術に関する特徴情報を受信したときに受信した特徴情報を送信する処理を行える。
【０１８５】
前髪カット施術に関する特徴情報を受信したか判別する処理は、特に限定されない。前髪カット施術に関する特徴情報を受信したか判別する処理は、例えば、図８に示すような特徴情報入力画面を端末１の端末表示部１５に表示し、端末入力部１４を用いて前髪カット施術に関する特徴情報が入力されたことを判別する手段等でよい。
【０１８６】
前髪カット施術に関する特徴情報を受信したか判別する処理は、第１特徴入力領域ＳＦ１が生え際の位置を入力する領域であり、第２特徴入力領域ＳＦ２が毛髪の量を入力する領域である点を除いて、カッティング施術に関する特徴情報を受信したか判別する処理と同じである。
【０１８７】
これにより、端末１を利用する利用者は、３次元モデルを用いて表示される特徴を確認しながら、前髪カット施術に関する特徴情報である、毛髪の量、毛髪の根元の浮き具合及び毛髪が流れる向きを含む髪質情報、並びに生え際の位置を有する特徴情報を入力できる。
【０１８８】
第１−４特徴入力領域ＳＦ１−４は、前髪カット施術に関する特徴情報を入力する領域であれば、特に限定されない。また、第５特徴入力領域等によって例示される前髪カット施術に関する特徴情報を入力する１以上の領域をさらに端末表示部１５に表示してもよい。
【０１８９】
［ステップＳ１７：カラーリング施術が指定されたか判別］
端末制御部１１は、端末記憶部１２、及び端末入力部１４と協働し、特徴情報送信部１１２を実行して、カラーリング施術が指定されたか判別する（ステップＳ１７）。カラーリング施術が指定されたならば、端末制御部１１は、処理をステップＳ１８に移す。カラーリング施術が指定されていないならば、端末制御部１１は、特徴情報入力処理を終了し、処理をステップＳ３に移す。カラーリング施術が指定されたか判別することにより、カラーリング施術が指定されたときに、カラーリング施術に関する特徴情報を受信したか判別する処理を行える。
【０１９０】
［ステップＳ１８：カラーリング施術に関する特徴情報を受信したか判別］
端末制御部１１は、端末記憶部１２、端末入力部１４、及び端末表示部１５と協働し、特徴情報送信部１１２を実行して、カラーリング施術に関する特徴情報を受信したか判別する（ステップＳ１８）。カラーリング施術に関する特徴情報を受信したならば、端末制御部１１は、特徴情報入力処理を終了し、処理をステップＳ３に移す。カラーリング施術に関する特徴情報を受信していないならば、端末制御部１１は、処理をステップＳ１８に移す。カラーリング施術に関する特徴情報を受信したか判別することにより、カラーリング施術に関する特徴情報を受信したときに受信した特徴情報を送信する処理を行える。
【０１９１】
カラーリング施術に関する特徴情報を受信したか判別する処理は、特に限定されない。カラーリング施術に関する特徴情報を受信したか判別する処理は、例えば、図８に示すような特徴情報入力画面を端末１の端末表示部１５に表示し、端末入力部１４を用いてカラーリング施術に関する特徴情報が入力されたことを判別する手段等でよい。
【０１９２】
カラーリング施術に関する特徴情報を受信したか判別する処理は、第１特徴入力領域ＳＦ１が毛髪の太さを入力する領域であり、第２特徴入力領域ＳＦ２が毛髪のダメージの度合いを入力する領域であり、第３−４特徴入力領域ＳＦ３−４を必須としない点を除いて、カッティング施術に関する特徴情報を受信したか判別する処理と同じである。
【０１９３】
これにより、端末１を利用する利用者は、３次元モデルを用いて表示される特徴を確認しながら、カラーリング施術に関する特徴情報である、毛髪の太さ及び毛髪のダメージの度合いを含む髪質情報を有する特徴情報を入力できる。
【０１９４】
第１−４特徴入力領域ＳＦ１−４は、カラーリング施術に関する特徴情報を入力する領域であれば、特に限定されない。また、第５特徴入力領域等によって例示されるカラーリング施術に関する特徴情報を入力する１以上の領域をさらに端末表示部１５に表示してもよい。
【０１９５】
ステップＳ１１−１８に係る特徴情報入力処理により、指定された施術に応じた特徴情報を入力できる。
【０１９６】
図９は、端末１における施術評価表示処理の好ましい流れの一例を示すフローチャートである。以下、図９を用いて、図５のステップＳ４で実行される端末１における施術評価表示処理の好ましい手順の一例を説明する。
【０１９７】
［ステップＳ２１：施術の内容が指定されたか判別］
端末制御部１１は、端末記憶部１２、端末入力部１４、及び端末表示部１５と協働し、施術評価表示指令受信部１１３を実行して、施術の内容が指定されたか判別する（ステップＳ２１）。施術の内容が指定されたならば、端末制御部１１は、処理をステップＳ２２に移す。施術の内容が指定されていないならば、端末制御部１１は、処理をステップＳ２１に移す。施術の内容が指定されたか判別することにより、施術の内容が指定されたときに、施術の内容を含む施術指定情報を送信できる。
【０１９８】
施術の内容が指定されたか判別する処理は、特に限定されない。施術の内容が指定されたか判別する処理は、ステップＳ１において指定された施術（例えば、カッティング施術、パーマ施術、前髪カット施術、カラーリング施術）に応じた処理であることが好ましい。
【０１９９】
図１０は、端末１の端末表示部１５に表示された、カッティング施術に関する施術評価を表示するカッティング施術評価表示画面の一例を示す概略図である。ステップＳ１においてカッティング施術が指定されている場合、施術の内容が指定されたか判別する処理は、例えば、例えば、図１０に示すようなカッティング施術評価表示画面を端末１の端末表示部１５に表示し、端末入力部１４を用いてカッティング施術に関する施術の内容が入力されたことを判別する手段等でよい。
【０２００】
図１０に示すカッティング施術評価表示画面は、カッティング施術後のヘアスタイルを列挙し、列挙されたヘアスタイルから１つのヘアスタイルを指定可能なカッティング施術指定領域ＳＣと、指定されたヘアスタイルに関するカッティング施術をステップＳ２で入力された特徴情報を有する人物に施す施術の施術評価及び施術後のヘアスタイルを示す３次元モデルを表示可能なカッティング施術評価表示領域ＤＣと、を含む。図１０のカッティング施術評価表示領域ＤＣは、施術評価が高いことを示す「○」印と、前下がりのグラデーションボブのヘアスタイルである人物頭部の３次元モデルと、を表示している。
【０２０１】
これにより、端末１を利用する利用者は、カッティング施術後のヘアスタイルを確認しながら、カッティング施術後のヘアスタイルを入力できる。
【０２０２】
カッティング施術評価表示領域ＤＣは、３次元モデルを異なる向きから見ることができるよう構成されることが好ましい。これにより、当該ヘアスタイルを様々な向きから見る訓練を支援できる。３次元モデルを異なる向きから見る手段は、特に限定されず、例えば、特徴表示領域ＤＦ上及び／又は３次元モデル上におけるポインティングデバイス（例えば、タッチパネル、マウス等。）を用いた操作に応じて３次元モデルの向きを変える手段等でよい。
【０２０３】
図１１は、端末１の端末表示部１５に表示された、パーマ施術に関する施術評価を表示するパーマ施術評価表示画面の一例を示す概略図である。ステップＳ１においてパーマ施術が指定されている場合、施術の内容が指定されたか判別する処理は、例えば、例えば、図１１に示すようなパーマ施術評価表示画面を端末１の端末表示部１５に表示し、端末入力部１４を用いてパーマ施術に関する施術の内容が入力されたことを判別する手段等でよい。
【０２０４】
図１１に示すパーマ施術評価表示画面は、パーマ施術後のヘアスタイルを列挙し、列挙されたヘアスタイルから１つのヘアスタイルを指定可能なパーマ施術指定領域ＳＰと、指定されたヘアスタイルに関するパーマ施術をステップＳ２で入力された特徴情報を有する人物に施す施術の施術評価及び施術後のヘアスタイルを示す３次元モデルを表示可能なパーマ施術評価表示領域ＤＰと、を含む。図１１のパーマ施術評価表示領域ＤＰは、施術評価が低いことを示す「×」印と、ショートＡラインのヘアスタイルである人物頭部の３次元モデルと、を表示している。
【０２０５】
これにより、端末１を利用する利用者は、パーマ施術後のヘアスタイルを確認しながら、パーマ施術後のヘアスタイルを入力できる。
【０２０６】
パーマ施術評価表示領域ＤＰは、３次元モデルを異なる向きから見ることができるよう構成されることが好ましい。これにより、当該ヘアスタイルを様々な向きから見る訓練を支援できる。３次元モデルを異なる向きから見る手段は、特に限定されず、例えば、特徴表示領域ＤＦ上及び／又は３次元モデル上におけるポインティングデバイス（例えば、タッチパネル、マウス等。）を用いた操作に応じて３次元モデルの向きを変える手段等でよい。
【０２０７】
図１２は、端末１の端末表示部１５に表示された、前髪カット施術に関する施術評価を表示する前髪カット施術評価表示画面の一例を示す概略図である。ステップＳ１において前髪カット施術が指定されている場合、施術の内容が指定されたか判別する処理は、例えば、例えば、図１２に示すような前髪カット施術評価表示画面を端末１の端末表示部１５に表示し、端末入力部１４を用いて前髪カット施術に関する施術の内容が入力されたことを判別する手段等でよい。
【０２０８】
図１２に示す前髪カット施術評価表示画面は、前髪カット施術後のヘアスタイルを列挙し、列挙されたヘアスタイルから１つのヘアスタイルを指定可能な前髪カット施術指定領域ＳＢと、指定されたヘアスタイルに関する前髪カット施術をステップＳ２で入力された特徴情報を有する人物に施す施術の施術評価を表示可能な前髪カット施術評価表示領域ＤＢと、を含む。
【０２０９】
これにより、端末１を利用する利用者は、前髪カット施術後のヘアスタイルを入力できる。
【０２１０】
［ステップＳ２２：施術指定情報を送信］
端末制御部１１は、必要に応じて端末記憶部１２、及び／又は端末通信部１３と協働し、施術指定情報送信部１１１を実行して、ステップＳ１及びステップＳ２２において入力された施術指定情報を支援装置２等へ送信する（ステップＳ２２、施術指定情報送信ステップ）。端末制御部１１は、処理を、ステップＳ２３へ移す。これにより、支援装置２等において、入力された施術指定情報を用いた支援を行える。
【０２１１】
［ステップＳ２３：施術評価表示指令を受信したか判別］
端末制御部１１は、必要に応じて端末記憶部１２、及び／又は端末通信部１３と協働し、施術評価表示指令受信部１１３を実行して、施術評価表示指令を支援装置２等から受信したかを判別する（ステップＳ２３、施術評価表示指令受信ステップ）。施術評価表示指令を受信したならば、端末制御部１１は、処理をステップＳ２４に移す。施術評価表示指令を受信していないならば、端末制御部１１は、処理をステップＳ２３に移す。施術評価表示指令を受信したかを判別することにより、施術評価表示指令を受信したときに、受信した施術評価表示指令が示す施術評価を表示する支援を行える。
【０２１２】
［ステップＳ２４：施術評価を表示］
端末制御部１１は、端末記憶部１２、及び端末表示部１５と協働し、施術評価表示指令受信部１１３を実行して、ステップＳ２３において受信した施術評価を表示する（ステップＳ２４、施術評価表示ステップ）。端末制御部１１は、処理を、ステップＳ２５へ移す。施術評価を表示することにより、端末１を利用する利用者は、表示された施術評価を用いて施術手順を表示するかを判断し得る。施術評価を表示する処理は、特に限定されず、例えば、図１０−１２のカッティング施術評価表示領域ＤＣ、パーマ施術評価表示領域ＤＰ、前髪カット施術評価表示領域ＤＢ等にステップＳ２３において受信した施術評価を表示する処理等でよい。
【０２１３】
［ステップＳ２５：施術手順提示指示を受信したか判別］
端末制御部１１は、端末記憶部１２、及び端末入力部１４と協働し、施術手順提示指令送信部１１４を実行して、施術手順提示指示を受信したか判別する（ステップＳ２５）。施術手順提示指示を受信したならば、端末制御部１１は、処理をステップＳ２６に移す。施術手順提示指示を受信していないならば、端末制御部１１は、施術評価表示処理を終了し、処理を、ステップＳ５に移す。施術手順提示指示を受信したかを判別することにより、施術手順提示指示を受信したときに、施術手順提示指令を支援装置２等へ送信できる。
【０２１４】
［ステップＳ２６：施術手順提示指令を送信］
端末制御部１１は、必要に応じて端末記憶部１２、及び／又は端末通信部１３と協働し、施術手順提示指令送信部１１４を実行して、施術手順提示指令を支援装置２等へ送信する（ステップＳ２６、施術手順提示指令送信ステップ）。端末制御部１１は、施術評価表示処理を終了し、処理を、ステップＳ５へ移す。これにより、支援装置２等において、施術手順提示指令等に基づいて施術手順表示指令を送信できる。
【０２１５】
図１３は、端末１における施術手順表示処理の好ましい流れの一例を示すフローチャートである。以下、図１３を用いて、図５のステップＳ６で実行される端末１における施術手順表示処理の好ましい手順の一例を説明する。
【０２１６】
［ステップＳ３１：施術手順を表示］
端末制御部１１は、端末記憶部１２、端末通信部１３、及び端末表示部１５と協働し、施術手順表示部１１６を実行して、ステップＳ５において受信した施術手順を表示する（ステップＳ３１）。端末制御部１１は、処理を、ステップＳ３２へ移す。
【０２１７】
施術手順表示指令は、ステップＳ３において送信された特徴情報と、ステップＳ１等において指定された施術指定情報とに基づく施術の手順を表示するよう指令する指令である。そして、ステップＳ３において送信された特徴情報は、人物の毛髪の性質に関する髪質情報を含む。したがって、ステップＳ３１に係る処理により、ステップＳ３において送信された特徴情報と、ステップＳ１等において指定された施術指定情報とに基づく施術の手順を表示できる。すなわち、当該人物と施術との組合せに適した手順を表示できる。
【０２１８】
ステップＳ３１において表示される当該人物と施術との組合せに適した手順は、特に限定されない。当該手順は、ステップＳ１において指定された施術（例えば、カッティング施術、パーマ施術、前髪カット施術、カラーリング施術）に応じた手順であることが好ましい。
【０２１９】
図１４は、端末１の端末表示部１５に表示されたカッティング施術の施術手順の一例を示す概略図である。図１４に示すカッティング施術の施術手順の表示は、以下の領域を含む：
ステップＳ１において実行される施術が指定されたかを判別する処理への遷移を指定可能な施術指定遷移領域ＴＳＴ、
ステップＳ２において実行される特徴情報入力処理への遷移を指定可能な特徴指定遷移領域ＴＳＦ、
ステップＳ４において実行される施術評価表示処理への遷移を指定可能な評価表示遷移領域ＴＤＣ、
複数の段階を含む手順を段階ごとに表示する場合において当該手順の段階を表示中の段階と異なる段階へ遷移する手段を提供できる手順段階遷移領域（第１−３手順段階遷移領域ＴＳ１−３）、
当該手順の段階を識別可能な表示を行うことが可能な手順段階識別領域ＩＳ、
カッティング施術の手順を表示することが可能なカッティング手順表示領域ＤＣＳ、
当該手順の少なくとも一部が３次元モデルを用いて表示される場合に当該３次元モデルを見る向き等を変更する手段を提供できる視点変更領域（第１−４視点変更領域ＣＶ１−４）、
当該手順を表示する態様を変更する手段を提供できる表示態様変更領域（第１−２表示態様変更領域ＣＤ１−２）、
人物の特徴等を含む人物の概要を表示可能な特徴表示領域ＤＦＳ、及び、
動画を用いて当該手順を表示可能なカッティング手順動画表示領域ＭＣＳ。
【０２２０】
施術手順の表示が施術指定遷移領域ＴＳＴを含むことにより、利用者は、ステップＳ１において実行される施術が指定されたかを判別する処理への遷移を指定できる。これにより、利用者は、必要に応じて施術を指定し直して訓練を行える。
【０２２１】
施術手順の表示が特徴指定遷移領域ＴＳＦを含むことにより、利用者は、ステップＳ２において実行される特徴情報入力処理への遷移を指定できる。これにより、利用者は、必要に応じて人物の特徴を指定し直して訓練を行える。
【０２２２】
施術手順の表示が評価表示遷移領域ＴＤＣを含むことにより、利用者は、ステップＳ４において実行される施術評価表示処理への遷移を指定できる。これにより、利用者は、必要に応じて施術を評価し直して訓練を行える。
【０２２３】
施術手順の表示が手順段階遷移領域を含むことにより、端末１が複数の段階を含む手順を段階ごとに表示する場合に、利用者は、当該手順の段階を表示中の段階と異なる段階へ遷移できる。これにより、利用者は、当該手順の段階を遷移させながら、当該手順に関する訓練を行える。また、施術手順の表示が手順段階識別領域ＩＳを含むことにより、端末１が複数の段階を含む手順を段階ごとに表示する場合に、利用者は、表示されている当該手順の段階を識別できる。
【０２２４】
施術手順の表示がカッティング手順表示領域ＤＣＳを含むことにより、カッティング施術の手順を表示できる。カッティング手順表示領域ＤＣＳは、３次元モデルを用いて当該手順の少なくとも一部を表示可能な領域であることが好ましい。３次元モデルを用いて当該手順の少なくとも一部を表示することにより、当該手順を異なる向きから見ることができる。これにより、当該手順を様々な向きから見る訓練を支援できる。
【０２２５】
端末１が複数の段階を含む手順を段階ごとに表示する場合、カッティング手順表示領域ＤＣＳは、表示されている手順において施術の対象となる髪束を識別可能にカッティング施術の手順を表示できることが好ましい。これにより、利用者が施術の対象となる髪束を容易に識別できる支援を提供できる。施術の対象となる髪束を識別する手段は、特に限定されず、当該髪束のみを表示する手段、施術の対象となることを示す色等で当該髪束を表示する手段等でよい。
【０２２６】
施術手順の表示が視点変更領域を含むことにより、３次元モデルを見る向き等を変更する手段を提供できる。これにより、カッティング手順表示領域ＤＣＳが３次元モデルを用いて当該手順の少なくとも一部を表示可能な領域である場合に、利用者は、当該手順を異なる向きから見るよう指示できる。これにより、当該手順を様々な向きからみる訓練を支援できる。
【０２２７】
施術手順の表示が表示態様変更領域を含むことにより、当該手順を表示する態様を変更できる。これにより、利用者は、当該手順を様々な態様で表示して訓練を行える。当該手順を表示する態様は、特に限定されず、例えば、３次元モデルを用いる態様、髪束の全てを表示する態様、髪束のうち一部のみを表示する態様、髪束のうち当該段階において施術の対象となる髪束のみを表示する態様、髪束のうち当該段階において施術の対象となる髪束及び当該髪束と関連する１以上の髪束を表示する態様、髪束及び頭部を不透明に表示する態様、髪束及び／又は頭部の少なくとも一部を透過させる態様、施術の手順等に応じて髪束及び／又は頭部を色分けする態様等の１以上を含む態様でよい。
【０２２８】
施術手順の表示が特徴表示領域ＤＦＳを含むことにより、人物の特徴等を含む人物の概要を表示できる。これにより、人物の特徴等を含む人物の概要を確認しながら訓練することを支援できる。
【０２２９】
施術手順の表示がカッティング手順動画表示領域ＭＣＳを含むことにより、動画を用いて当該手順を表示できる。これにより、動画を用いたより直観的な訓練を支援できる。
【０２３０】
図１５は、端末１の端末表示部１５に表示されたパーマ施術に関するカッティング施術の施術手順の一例を示す概略図である。図１５に示すパーマ施術に関するカッティング施術の施術手順の表示は、以下の領域を含む：
パーマ施術に関するカッティング施術の施術手順を表示するよう指令可能なカッティング手順表示遷移領域ＴＣＳ、
カッティング施術を行った後のヘアスタイルであり、かつ、パーマ施術を行う前のヘアスタイルを表示するよう指令可能なカッティング後ヘアスタイル表示遷移領域ＴＣＤ、
パーマ施術の施術手順を表示するよう指令可能なパーマ手順表示遷移領域ＴＰＳ、
パーマ施術の施術手順を表示可能なパーマ手順表示領域ＤＰＳ、
動画を用いてパーマ施術に関するカッティング施術の施術手順を表示可能なカッティング手順動画表示領域ＭＣＳ。
【０２３１】
また、パーマ施術に関するカッティング施術の施術手順の表示は、図１４における施術指定遷移領域ＴＳＴ、特徴指定遷移領域ＴＳＦ、評価表示遷移領域ＴＤＣ、手順段階遷移領域、手順段階識別領域ＩＳ、視点変更領域、表示態様変更領域、及び特徴表示領域ＤＦＳの１以上をさらに含んでもよい。
【０２３２】
施術手順の表示がカッティング手順表示遷移領域ＴＣＳを含むことにより、パーマ施術に際して行うカッティング施術の施術手順を表示できる。これにより、パーマ施術とカッティング施術とを組み合わせた施術の訓練を支援できる。
【０２３３】
施術手順の表示がカッティング後ヘアスタイル表示遷移領域ＴＣＤを含むことにより、カッティング施術を行った後のヘアスタイルであり、かつ、パーマ施術を行う前のヘアスタイルを表示するよう指令できる。これにより、利用者は、カッティング施術を行った後のヘアスタイルであり、かつ、パーマ施術を行う前のヘアスタイルを確認しながら訓練できる。
【０２３４】
施術手順の表示がパーマ手順表示遷移領域ＴＰＳを含むことにより、パーマ施術に際して行うカッティング施術の施術手順を表示した場合、及び／又はカッティング施術を行った後のヘアスタイルであり、かつ、パーマ施術を行う前のヘアスタイルを表示した場合等のパーマ施術の手順以外を表示している場合に、パーマ施術の施術手順を表示するよう指令できる。これにより、パーマ施術の手順の訓練において、必要に応じてパーマ施術の手順以外を表示できる。パーマ施術の施術手順を表示することについては、後に図１７を用いてより詳細に説明する。
【０２３５】
施術手順の表示がパーマ手順表示領域ＤＰＳを含むことにより、パーマ施術の適切な施術手順を表示できる。パーマ手順表示領域ＤＰＳは、３次元モデルを用いて当該手順の少なくとも一部を表示可能な領域であることが好ましい。３次元モデルを用いて当該手順の少なくとも一部を表示することにより、当該手順を異なる向きからみることができる。これにより、当該手順を様々な向きからみる訓練を支援できる。
【０２３６】
端末１が複数の段階を含む手順を段階ごとに表示する場合、パーマ手順表示領域ＤＰＳは、表示されている手順において施術の対象となる髪束を識別可能にパーマ施術の手順を表示できることが好ましい。これにより、利用者が施術の対象となる髪束を容易に識別できる支援を提供できる。施術の対象となる髪束を識別する手段は、特に限定されず、当該髪束のみを表示する手段、施術の対象となることを示す色等で当該髪束を表示する手段等でよい。
【０２３７】
施術手順の表示がパーマ手順表示領域ＤＰＳを含み、パーマ手順表示領域ＤＰＳが３次元モデルを用いて当該手順の少なくとも一部を表示可能である場合、施術手順の表示は、図１４に示すような視点変更領域を含むことが好ましい。これにより、利用者は、当該手順を異なる向きからみるよう指示できる。これにより、当該手順を様々な向きからみる訓練を支援できる。
【０２３８】
施術手順の表示がカッティング手順動画表示領域ＭＣＳを含むことにより、動画を用いてパーマ施術に関するカッティング施術の施術手順を表示できる。これにより、動画を用いたより直観的な訓練を支援できる。
【０２３９】
図１６は、端末１の端末表示部１５に表示されたパーマ施術の施術手順のうち、パーマ施術の対象となる髪束を示す表示の一例を示す概略図である。
【０２４０】
パーマ施術の対象となる髪束を示す表示は、少なくとも、パーマ手順表示領域ＤＰＳを含む。パーマ施術の対象となる髪束を示す表示において、パーマ手順表示領域ＤＰＳは、パーマ施術の対象となる髪束を表示可能である。
【０２４１】
パーマ施術の対象となる髪束を示す表示は、図１４における施術指定遷移領域ＴＳＴ、特徴指定遷移領域ＴＳＦ、評価表示遷移領域ＴＤＣ、手順段階遷移領域、手順段階識別領域ＩＳ、視点変更領域、表示態様変更領域、及び特徴表示領域ＤＦＳ、並びに、図１５におけるカッティング手順表示遷移領域ＴＣＳ、カッティング後ヘアスタイル表示遷移領域ＴＣＤ、及びパーマ手順表示遷移領域ＴＰＳの１以上をさらに含んでもよい。
【０２４２】
図１６に示す表示の一例では、パーマ施術の対象となる髪束を色分けして示す。図１６では、左下がりの線を用いたハッチングパターン、右下がりの線を用いたハッチングパターン、ドットを用いたハッチングパターンが色分けされた色のそれぞれを示す。
【０２４３】
当該色分けは、例えば、パーマ施術に用いるパーマ用具の取り付け方に応じて行われる。図１６では、パーマ用具に髪束を１０回巻き付ける取り付け方で取り付ける髪束を左下がりの線を用いたハッチングパターンに対応する色で示し、パーマ用具に髪束を５回巻き付ける取り付け方で取り付ける髪束を右下がりの線を用いたハッチングパターンに対応する色で示し、パーマ用具に髪束を２回巻き付ける取り付け方で取り付ける髪束を、ドットを用いたパターンに対応する色で示している。これにより、毛髪が含む複数の髪束のそれぞれについて、色分けを用いた識別しやすい表示を用いて、パーマ施術に用いるパーマ用具の取り付け方を示すことができる。
【０２４４】
図１７は、端末１の端末表示部１５に表示されたパーマ施術に関する施術手順のうち、パーマ用具に関する手順を示す表示の一例を示す概略図である。図１７に示すパーマ用具に関する手順を示す表示は、以下の領域を含む：
パーマ施術に用いるパーマ用具を表示可能なパーマ用具表示領域ＤＰＴ、
パーマ施術の施術手順を表示可能なパーマ手順表示領域ＤＰＳ及び、
パーマ用具等を用いるパーマ用具使用手順を動画の態様で表示可能なパーマ用具使用手順動画表示領域ＭＰＴ。
【０２４５】
パーマ用具に関する手順を示す表示は、図１４における施術指定遷移領域ＴＳＴ、特徴指定遷移領域ＴＳＦ、評価表示遷移領域ＴＤＣ、手順段階遷移領域、手順段階識別領域ＩＳ、視点変更領域、表示態様変更領域、及び特徴表示領域ＤＦＳ、並びに、図１５におけるカッティング手順表示遷移領域ＴＣＳ、カッティング後ヘアスタイル表示遷移領域ＴＣＤ、及びパーマ手順表示遷移領域ＴＰＳの１以上をさらに含んでもよい。
【０２４６】
施術手順の表示がパーマ用具表示領域ＤＰＴを含むことにより、パーマ施術に用いる適切なパーマ用具を表示できる。これにより、パーマ施術に用いる適切なパーマ用具に関する訓練を支援できる。
【０２４７】
ロッド（「カーラー」とも称する。）等によって例示されるパーマ施術に用いるパーマ用具を取付ける位置及び取り付け方によって、パーマ施術を施したヘアスタイルが変わり得る。例えば、髪束の根元付近にパーマ用具を取付ける施術では、髪束が流れる向き全体に変化を与えるヘアスタイルとなる一方、髪束の毛先付近にパーマ用具を取付ける施術では、髪束の毛先に変化を与えるヘアスタイルとなる。
【０２４８】
また、パーマ用具に髪束を１０回巻き付ける取り付け方で施したパーマ施術では、パーマ用具に髪束を２回巻き付ける取り付け方で施したパーマ施術より、髪束がより曲がるヘアスタイルとなる。
【０２４９】
したがって、パーマ用具を取付ける適切な位置及び適切な取り付け方を訓練することを支援できれば、訓練を要する要訓練施術者は、被施術者がよりいっそう満足するパーマ施術を行える。
【０２５０】
パーマ用具に関する手順を示す表示では、パーマ手順表示領域ＤＰＳ及びパーマ用具使用手順動画表示領域ＭＰＴは、毛髪が含む複数の髪束のそれぞれについて、パーマ施術に用いるパーマ用具を取付ける位置及びパーマ用具の取り付け方を含むパーマ施術の施術手順を表示可能である。
【０２５１】
毛髪が含む複数の髪束のそれぞれについて、パーマ施術に用いるパーマ用具を取付ける位置及びパーマ用具の取り付け方を含むパーマ施術の手順を表示できるため、要訓練施術者等の施術者は、パーマ施術に用いるパーマ用具を取付ける位置及びパーマ用具の取り付け方を含むパーマ施術の手順に関する訓練を行える。これにより、施術者は、被施術者がよりいっそう満足する施術を行えるようにする訓練を行える。
【０２５２】
図１８は、端末１の端末表示部１５に表示された前髪カット施術の前髪カット施術手順の一例を示す概略図である。図１８に示す前髪カット施術の前髪カット施術手順の表示は、以下の領域を含む：
前髪カット施術の施術手順を表示可能な前髪カット手順表示領域ＤＢＳ及び、
動画を用いて当該手順を表示可能な前髪カット手順動画表示領域ＭＢＳ。
【０２５３】
前髪カット施術手順を示す表示は、図１４における施術指定遷移領域ＴＳＴ、特徴指定遷移領域ＴＳＦ、評価表示遷移領域ＴＤＣ、手順段階遷移領域、手順段階識別領域ＩＳ、視点変更領域、表示態様変更領域、及び特徴表示領域ＤＦＳ、の１以上をさらに含んでもよい。
【０２５４】
施術手順の表示が前髪カット手順表示領域ＤＢＳを含むことにより、前髪カット施術の施術手順を表示できる。これにより、前髪カット施術に関する訓練を支援できる。前髪カット手順表示領域ＤＢＳは、３次元モデルを用いて当該手順の少なくとも一部を表示可能な領域であることが好ましい。３次元モデルを用いて当該手順の少なくとも一部を表示することにより、当該手順を異なる向きからみることができる。これにより、当該手順を様々な向きからみる訓練を支援できる。
【０２５５】
端末１が複数の段階を含む手順を段階ごとに表示する場合、前髪カット手順表示領域ＤＢＳは、表示されている手順において施術の対象となる髪束を識別可能に前髪カット施術の手順を表示できることが好ましい。これにより、利用者が施術の対象となる髪束を容易に識別できる支援を提供できる。施術の対象となる髪束を識別する手段は、特に限定されず、当該髪束のみを表示する手段、施術の対象となることを示す色等で当該髪束を表示する手段等でよい。
【０２５６】
施術手順の表示が前髪カット手順表示領域ＤＢＳを含み、前髪カット手順表示領域ＤＢＳが３次元モデルを用いて当該手順の少なくとも一部を表示可能である場合、施術手順の表示は、図１４に示すような視点変更領域を含むことが好ましい。これにより、利用者は、当該手順を異なる向きからみるよう指示できる。これにより、当該手順を様々な向きからみる訓練を支援できる。
【０２５７】
施術手順の表示が前髪カット手順動画表示領域ＭＢＳを含むことにより、前髪カット施術の施術手順を表示できる。これにより、動画を用いたより直観的な訓練を支援できる。
【０２５８】
図１９は、端末１の端末表示部１５に表示されたカラーリング施術の施術手順の一例を示す概略図である。図１９に示すカラーリング施術の施術手順の表示は、以下の領域を含む：
毛髪の略全体を所定の色に染める施術手順を表示する一色カラーリング施術表示処理への遷移を指定可能な一色カラーリング施術指定遷移領域ＴＳＤ、
毛髪が含む複数の髪束を２以上の色に染め分ける施術手順を表示する多色カラーリング施術表示処理への遷移を指定可能な多色カラーリング指定遷移領域ＴＭＤ、
カラーリング施術に用いるカラーリング用具を表示可能なカラーリング用具表示領域ＤＤＴ、
カラーリング用具の使用手順を表示可能なカラーリング概要表示領域ＤＤＳ、及び、
カラーリング用具の使用手順を動画の態様で表示可能なカラーリング用具使用手順動画表示領域ＭＤＴ。
【０２５９】
カラーリング施術の施術手順の表示は、図１４における施術指定遷移領域ＴＳＴ、特徴指定遷移領域ＴＳＦ、評価表示遷移領域ＴＤＣ、手順段階遷移領域、手順段階識別領域ＩＳ、視点変更領域、表示態様変更領域、及び特徴表示領域ＤＦＳの１以上をさらに含んでもよい。
【０２６０】
施術手順の表示が一色カラーリング施術指定遷移領域ＴＳＤを含むことにより、毛髪の略全体を所定の色に染める施術手順を表示する一色カラーリング施術表示処理への遷移を指定できる。これにより、毛髪の略全体を所定の色に染める施術に関する訓練を支援できる。
【０２６１】
施術手順の表示が多色カラーリング指定遷移領域ＴＭＤを含むことにより、毛髪が含む複数の髪束を２以上の色に染め分ける施術手順を表示する多色カラーリング施術表示処理への遷移を指定できる。これにより、毛髪が含む複数の髪束を２以上の色に染め分ける施術に関する訓練を支援できる。
【０２６２】
施術手順の表示がカラーリング用具表示領域ＤＤＴを含むことにより、カラーリング施術に用いる適切なカラーリング用具を表示できる。これにより、カラーリング施術に用いる適切なカラーリング用具に関する訓練を支援できる。
【０２６３】
毛髪を染めるカラーリング施術では、毛髪の太さによって毛髪の染まり方が異なる。したがって、毛髪の太さによって、カラーリング施術の適切な手順が異なり得る。毛髪の太さに応じたカラーリング施術の適切な手順を訓練することにより、被施術者は、被施術者がよりいっそう満足するヘアスタイルの施術を行えるようになり得る。
【０２６４】
カラーリング用具表示領域ＤＤＴは、施術指定情報と毛髪の太さとに基づいて適切なカラーリング用具を表示可能であることが好ましい。これにより、被施術者は、毛髪の太さに応じたカラーリング施術の適切な手順を訓練できる。これにより、施術者は、被施術者がよりいっそう満足するヘアスタイルの施術を行える。
【０２６５】
毛髪を染めるカラーリング施術では、毛髪の傷み具合によって施術に用いる適切なカラーリング用具が異なる。毛髪の傷み具合に応じた適切なカラーリング用具を訓練することにより、被施術者は、被施術者がよりいっそう満足するヘアスタイルの施術を行えるようになり得る。
【０２６６】
カラーリング用具表示領域ＤＤＴは、施術指定情報と毛髪の傷み具合とに基づいて適切なカラーリング用具を表示可能であることが好ましい。これにより、被施術者は、毛髪の傷み具合に応じたカラーリング施術の適切な手順を訓練できる。これにより、施術者は、被施術者がよりいっそう満足するヘアスタイルの施術を行える。
【０２６７】
施術手順の表示がカラーリング概要表示領域ＤＤＳを含むことにより、カラーリング用具の適切な使用手順を表示できる。カラーリング概要表示領域ＤＤＳは、３次元モデルを用いて当該手順の少なくとも一部を表示可能な領域であることが好ましい。３次元モデルを用いて当該手順の少なくとも一部を表示することにより、当該手順を異なる向きからみることができる。これにより、当該手順を様々な向きからみる訓練を支援できる。
【０２６８】
端末１が複数の段階を含む手順を段階ごとに表示する場合、カラーリング概要表示領域ＤＤＳは、表示されている手順において施術の対象となる髪束を識別可能にカラーリング施術の手順を表示できることが好ましい。これにより、利用者が施術の対象となる髪束を容易に識別できる支援を提供できる。施術の対象となる髪束を識別する手段は、特に限定されず、当該髪束のみを表示する手段、施術の対象となることを示す色等で当該髪束を表示する手段等でよい。
【０２６９】
カラーリング概要表示領域ＤＤＳが３次元モデルを用いて当該手順の少なくとも一部を表示可能な領域である場合、施術手順の表示は、図１４に示すような視点変更領域を含むことが好ましい。これにより、利用者は、当該手順を異なる向きからみるよう指示できる。これにより、当該手順を様々な向きからみる訓練を支援できる。
【０２７０】
施術手順の表示がカラーリング用具使用手順動画表示領域ＭＤＴを含むことにより、動画を用いて当該手順を表示できる。これにより、動画を用いたより直観的な訓練を支援できる。
【０２７１】
図２０は、端末１の端末表示部１５に表示された、カラーリング施術に関するカラーパターン指定画面の一例を示す概略図である。図２０に示すカラーリング施術に関するカラーパターン指定画面の表示は、以下の領域を含む：
カラーリング施術における髪束を色分けするカラーリングパターンを指定可能なカラーリングパターン指定領域ＳＤＰ、及び、
カラーリングパターン指定領域ＳＤＰで指定されたカラーリングパターンに関するさらに詳細な指定を行うことが可能なカラーリングパターン詳細指定領域ＤＤＰ。
【０２７２】
毛髪を染めるカラーリング施術では、髪束を色分けするパターンによって施術後のヘアスタイルが見たものに与える印象が変わり得る。施術手順の表示がカラーリングパターン指定領域ＳＤＰを含むことにより、カラーリングパターンに応じた施術の施術評価、及び／又は、施術手順を用いた訓練を支援できる。
【０２７３】
施術手順の表示がカラーリングパターン詳細指定領域ＤＤＰを含むことにより、カラーリングパターン指定領域ＳＤＰで指定されたカラーリングパターンに関するさらに詳細な指定を行うことができ、さらに詳細に指定されたカラーリングパターンに応じた施術の施術評価、及び／又は、施術手順を用いた訓練を支援できる。
【０２７４】
図２０では、髪束を塗りつぶす色（白・黒）又はハッチングパターンによって髪束を染める色を示している。これにより、毛髪全体を細い縦縞に染めるカラーリングパターン、毛髪の一部が太い縦縞をなすよう染めるカラーリングパターン、頭頂部以外の部分を染めるカラーリングパターン、毛髪全体を染めるカラーリングパターン、毛髪全体の色と異なる色の髪束を頭部の横に設けるカラーリングパターン、髪束の生え際付近を除く部分を染めるカラーリングパターン、毛髪全体の色と異なる色の髪束を前髪以外の部分に設けるカラーリングパターン、毛髪全体の色と異なる色の髪束を前髪に設けるカラーリングパターン等の各種のカラーリングパターンを表示し得る。
【０２７５】
図２０に示すカラーリングパターン指定領域ＳＤＰ及びカラーリングパターン詳細指定領域ＤＤＰは、各種のカラーリングパターンを表示し得ることにより、表示された各種のカラーリングパターンのいずれかを指定可能としている。これにより、利用者は、カラーリングパターンを指定し、カラーリングパターンに応じた施術の施術評価、及び／又は、施術手順を用いた訓練を行える。
【０２７６】
図２１は、端末１の端末表示部１５に表示された、指定されたカラーパターンに応じたヘアスタイルを表示する画面の一例を示す概略図である。指定されたカラーパターンに応じたヘアスタイルを表示する画面の表示は、以下の領域を含む：
カラーリング施術の施術手順の概要を表示可能なカラーリング概要表示領域ＤＤＳ、及び、
カラーリング施術の施術手順の詳細を表示可能なカラーリング詳細手順表示領域ＤＤＤ。
【０２７７】
施術手順の表示がカラーリング概要表示領域ＤＤＳを含むことにより、カラーリング施術の施術手順の概要を表示できる。当該概要は、特に限定されず、例えば、カラーリング施術に用いるカラーリング用具の使い方（毛髪を脱色する脱色剤及び／又は毛髪を染色する染色剤等の薬剤について、薬剤の希釈倍率及び／又は使用量等）、カラーリング用具の指定（薬剤の種類）、カラーリング用具を用いる髪束の割合等のいずれか１以上でよい。
【０２７８】
毛髪を染めるカラーリング施術では、毛髪の太さによって毛髪の染まり方が異なる。したがって、毛髪の太さによって、カラーリング施術の適切な手順が異なり得る。毛髪の太さに応じたカラーリング施術の適切な手順を訓練することにより、被施術者は、被施術者がよりいっそう満足するヘアスタイルの施術を行えるようになり得る。
【０２７９】
毛髪を染めるカラーリング施術では、毛髪の傷み具合によって施術に用いる適切な薬剤等のカラーリング施術の手順が異なる。毛髪の傷み具合に応じたカラーリング施術の適切な手順を訓練することにより、被施術者は、被施術者がよりいっそう満足するヘアスタイルの施術を行えるようになり得る。
【０２８０】
カラーリング用具の使い方は、毛髪の太さ及び／又は毛髪の傷み具合に応じたカラーリング用具の使い方を含むことが好ましい。これにより、毛髪の太さ及び／又は毛髪の傷み具合に応じたカラーリング施術の適切な施術手順の訓練を支援できる。
【０２８１】
施術手順の表示がカラーリング詳細手順表示領域ＤＤＤを含むことにより、カラーリング施術の施術手順の詳細を表示できる。当該詳細は、特に限定されず、例えば、カラーリング用具を用いる髪束、カラーリング用具を用いる位置、カラーリング用具の使い方、カラーリング用具の指定等のいずれか１以上でよい。
【０２８２】
図２２は、端末１の端末表示部１５に表示された、指定されたカラーパターンに応じたカラーリング施術の施術手順の一例を示す概略図である。指定されたカラーパターンに応じたカラーリング施術の施術手順の表示は、以下の領域を含む：
カラーリング用具を表示可能なカラーリング用具表示領域ＤＤＴ、
カラーリング用具の使い方を表示可能なカラーリング用具用法表示領域ＤＴＵ、
カラーリング施術に関する人物の特徴等を含む人物の概要を表示可能な特徴表示領域ＤＦＳ、
カラーリング用具を用いる位置に関する情報を表示可能なカラーリング位置情報表示領域ＤＰＤ、及び、
カラーリング用具の使用手順を動画の態様で表示可能なカラーリング用具使用手順動画表示領域ＭＤＴ。
【０２８３】
施術手順の表示がカラーリング用具表示領域ＤＤＴを含むことにより、指定されたカラーリング施術において適切なカラーリング用具を表示できる。これにより、利用者は、指定されたカラーリング施術における適切なカラーリング用具に関する訓練を行える。
【０２８４】
カラーリング用具表示領域ＤＤＴは、毛髪の太さ及び／又は毛髪の傷み具合に応じた適切なカラーリング用具を表示可能であることが好ましい。これにより、毛髪の太さ及び／又は毛髪の傷み具合に応じた適切なカラーリング用具を用いるカラーリング施術の施術手順の訓練を支援できる。
【０２８５】
施術手順の表示がカラーリング用具用法表示領域ＤＴＵを含むことにより、指定されたカラーリング施術において適切なカラーリング用具の使い方を表示できる。これにより、利用者は、指定されたカラーリング施術における適切なカラーリング用具の使い方に関する訓練を行える。
【０２８６】
カラーリング用具用法表示領域ＤＴＵが表示可能なカラーリング用具の使い方は、特に限定されず、例えば、毛髪を脱色する脱色剤及び／又は毛髪を染色する染色剤等の薬剤について、薬剤の希釈倍率及び／又は使用量等を含む使い方等でよい。
【０２８７】
カラーリング用具の使い方は、髪束のそれぞれに応じたカラーリング用具の使い方であることが好ましい。これにより、例えば、図２０において髪束を色分けするカラーリングパターンが指定された場合において、当該色分けを実現するカラーリング用具の使い方の訓練を支援できる。
【０２８８】
施術手順の表示が特徴表示領域ＤＦＳを含むことにより、カラーリング施術に関する人物の特徴等を含む人物の概要を表示できる。これにより、人物の特徴等を含む人物の概要を確認しながら訓練することを支援できる。
【０２８９】
特徴表示領域ＤＦＳは、毛髪の太さ及び／又は毛髪の傷み具合を表示可能であることが好ましい。これにより、毛髪の太さ及び／又は毛髪の傷み具合を確認しながら訓練することを支援できる。
【０２９０】
施術手順の表示がカラーリング位置情報表示領域ＤＰＤを含むことにより、カラーリング用具を用いる位置に関する情報を表示できる。これにより、例えば、図２０において髪束の一部を色分けするカラーリングパターンが指定された場合において、当該色分けを実現するカラーリング用具の使い方の訓練を支援できる。
【０２９１】
施術手順の表示がカラーリング用具使用手順動画表示領域ＭＤＴを含むことにより、カラーリング用具を用いる位置に関する情報を表示できる。これにより、動画を用いたより直観的な訓練を支援できる。
【０２９２】
施術手順の表示が複数の段階を含む手順を段階ごとに表示し、かつ、施術手順の表示が手順段階遷移領域を含む場合、以下に示すステップＳ３２及びステップＳ３３の処理（手順遷移ステップ）を実行することが好ましい。
【０２９３】
［ステップＳ３２：手順遷移指示を受信したか判別］
端末制御部１１は、端末記憶部１２、及び端末入力部１４と協働し、施術手順表示部１１６を実行して、端末１を利用する利用者から、手順の段階を表示中の段階と異なる段階へ遷移する手順遷移指示を受信したか判別する（ステップＳ３２）。手順遷移指示を受信したならば、端末制御部１１は、処理を、ステップＳ３３へ移す。手順遷移指示を受信していないならば、端末制御部１１は、処理を、ステップＳ３４へ移す。
【０２９４】
手順遷移指示を受信したか判別することにより、利用者からの手順遷移指示に応じて、当該手順の段階を表示中の段階と異なる段階へ遷移したときの手順を示す表示を生成できる。
【０２９５】
［ステップＳ３３：手順遷移後の表示を生成］
端末制御部１１は、端末記憶部１２、及び端末入力部１４と協働し、施術手順表示部１１６を実行して、ステップＳ３２で受信した手順遷移指示に応じて手順を遷移した後の表示を生成する（ステップＳ３３）。端末制御部１１は、処理を、ステップＳ３１へ移す。
【０２９６】
手順を遷移した後の表示を生成することにより、利用者からの手順遷移指示に応じて、当該手順の段階を表示中の段階と異なる段階へ遷移したときの手順を示す表示を行える。これにより、利用者は、当該手順の段階を遷移させながら、当該手順に関する訓練を行える。
【０２９７】
施術手順の表示が手順段階識別領域ＩＳを含む場合、手順段階識別領域ＩＳは、手順を遷移した後の表示において、手順を遷移した後の段階を識別可能な表示を行えることが好ましい。これにより、利用者は、手順を遷移した後に表示されている当該手順の段階を識別できる。
【０２９８】
施術手順の表示が３次元モデルの表示を含み、かつ、施術手順の表示が視点変更領域を含む場合、以下に示すステップＳ３４及びステップＳ３５の処理（視点変更ステップ）を実行することが好ましい。
【０２９９】
［ステップＳ３４：視点変更指示を受信したか判別］
端末制御部１１は、端末記憶部１２、及び端末入力部１４と協働し、施術手順表示部１１６を実行して、端末１を利用する利用者から、３次元モデルを見る向き等を変更する視点変更指示を受信したか判別する（ステップＳ３４）。視点変更指示を受信したならば、端末制御部１１は、処理を、ステップＳ３５へ移す。視点変更指示を受信していないならば、端末制御部１１は、処理を、ステップＳ３６へ移す。
【０３００】
視点変更指示を受信したか判別することにより、利用者からの視点変更指示に応じて、３次元モデルを見る向き等を変更した後の表示を生成できる。
【０３０１】
［ステップＳ３５：視点変更後の表示を生成］
端末制御部１１は、端末記憶部１２、及び端末入力部１４と協働し、施術手順表示部１１６を実行して、ステップＳ３４で受信した視点変更指示に応じて３次元モデルを見る向き等を変更した後の表示を生成する（ステップＳ３３）。端末制御部１１は、処理を、ステップＳ３１へ移す。
【０３０２】
視点変更後の表示を生成することにより、利用者からの視点変更指示に応じて、３次元モデルを見る向き等を変更したときの手順を示す表示を行える。これにより、利用者は、３次元モデルを見る向き等を変更しながら、当該手順に関する訓練を行える。
【０３０３】
施術手順の表示が表示態様変更領域を含む場合、以下に示すステップＳ３６及びステップＳ３７の処理（表示態様変更ステップ）を実行することが好ましい。
［ステップＳ３６：表示態様変更指示を受信したか判別］
端末制御部１１は、端末記憶部１２、及び端末入力部１４と協働し、施術手順表示部１１６を実行して、端末１を利用する利用者から、施術手順を表示する態様を変更する表示態様変更指示を受信したか判別する（ステップＳ３６）。表示態様変更指示を受信したならば、端末制御部１１は、処理を、ステップＳ３７へ移す。表示態様変更指示を受信していないならば、端末制御部１１は、処理を、ステップＳ３８へ移す。
【０３０４】
表示態様変更指示を受信したか判別することにより、利用者からの表示態様変更指示に応じて、施術手順を表示する態様を変更した後の表示を生成できる。
【０３０５】
［ステップＳ３７：表示態様変更後の表示を生成］
端末制御部１１は、端末記憶部１２、及び端末入力部１４と協働し、施術手順表示部１１６を実行して、ステップＳ３６で受信した表示態様変更指示に応じて表示態様を変更した後の表示を生成する（ステップＳ３７）。端末制御部１１は、処理を、ステップＳ３１へ移す。
【０３０６】
表示態様を変更した後の表示を生成することにより、利用者からの表示態様変更指示に応じて、表示態様を変更したときの手順を示す表示を行える。これにより、利用者は、表示態様を変更しながら、当該手順に関する訓練を行える。
【０３０７】
施術手順の表示が施術指定遷移領域ＴＳＴ、特徴指定遷移領域ＴＳＦ、及び／又は評価表示遷移領域ＴＤＣを含む場合、以下に示すステップＳ３６及びステップＳ３７の処理（処理遷移ステップ）を実行することが好ましい。
［ステップＳ３８：処理遷移指示を受信したか判別］
端末制御部１１は、端末記憶部１２、及び端末入力部１４と協働し、施術手順表示部１１６を実行して、端末１を利用する利用者から、ステップＳ１において実行される施術が指定されたかを判別する処理、ステップＳ２において実行される特徴情報入力処理、又はステップＳ４において実行される施術評価表示処理のいずれかへ処理を遷移するよう指示する処理遷移指示を受信したか判別する（ステップＳ３８）。処理遷移指示を受信したならば、端末制御部１１は、手順表示処理を終了し、処理を、ステップＳ７へ移す。処理遷移指示を受信していないならば、端末制御部１１は、処理を、ステップＳ３１へ移す。
【０３０８】
処理遷移指示を受信したか判別することにより、利用者からの処理遷移指示に応じて、手順表示処理を終了し、処理を指定された処理へ遷移することができる。
【０３０９】
〔支援装置２を用いた支援処理のフローチャート〕
図２３は、支援装置２を用いた支援処理の好ましい流れの一例を示すメインフローチャートである。以下、図２３を用いて、支援装置２を用いた支援処理の好ましい手順の一例を説明する。
【０３１０】
［ステップＳ５１：特徴情報を受信したか判別］
装置制御部２１は、装置記憶部２２、及び装置通信部２３と協働し、特徴情報受信部２１１を実行して、端末１から、人物の特徴に関し、髪質情報を含む特徴情報を受信したか判別する（ステップＳ５１、特徴情報受信ステップ）。特徴情報を受信したならば、装置制御部２１は、処理を、ステップＳ５２へ移す。特徴情報を受信していないならば、装置制御部２１は、処理を、ステップＳ５１へ移す。
【０３１１】
特徴情報受信ステップを行うことにより、特徴情報を受信した場合に、当該特徴情報が示す特徴を有する人物に施すヘアスタイルの施術の訓練を支援できる。
【０３１２】
［ステップＳ５２：施術指定情報を受信したか判別］
装置制御部２１は、装置記憶部２２、及び装置通信部２３と協働し、施術指定情報受信部２１２を実行して、端末１から、ステップＳ５１で受信した特徴情報が示す特徴を有する人物に施すヘアスタイルの施術を指定する施術指定情報を受信したか判別する（ステップＳ５２、施術指定情報受信ステップ）。施術指定情報を受信したならば、装置制御部２１は、ステップＳ５１で受信した特徴情報とステップＳ５２で受信した施術指定情報とを関連付けて特徴情報テーブル２２１に格納し、処理を、ステップＳ５３へ移す。施術指定情報を受信していないならば、装置制御部２１は、処理を、ステップＳ５２へ移す。
【０３１３】
施術指定情報受信ステップを行うことにより、施術指定情報を受信した場合に、ステップＳ５１で受信した特徴情報とステップＳ５２で受信した施術指定情報とを関連付けて特徴情報テーブル２２１に格納できる。これにより、支援装置２は、特徴情報テーブル２２１に格納された施術指定情報と関連付けられた特徴情報を用いて施術指定情報が示すヘアスタイルの施術を特徴情報が示す特徴を有する人物に施すことに関する施術評価及び／又は施術手順を表示する支援を行える。
【０３１４】
［ステップＳ５３：施術評価表示指令を送信］
装置制御部２１は、装置記憶部２２、及び装置通信部２３と協働し、施術評価表示指令部２１３を実行して、ステップＳ５１で受信した特徴情報とステップＳ５２で受信した施術指定情報とを用いて施術評価テーブル２２２から施術評価を取得し、取得した施術評価を表示するよう指令する施術評価表示指令を端末１へ送信する（ステップＳ５３、施術評価表示指令ステップ）。装置制御部２１は、処理を、ステップＳ５４へ移す。
【０３１５】
施術評価表示指令ステップを行うことにより、人物の毛髪の性質に関する髪質情報を含む特徴情報と施術を指定する施術指定情報とに基づいて人物に施術を施すことの施術評価を表示するよう指令できる。これにより、施術者が訓練を要する要訓練施術者等であっても、端末１に表示された施術評価を用いて、施術が髪質情報によって示される毛髪の性質を有する人物に適するか否かを判別できる。これにより、施術者は、被施術者がよりいっそう満足するヘアスタイルの施術を行える。
【０３１６】
特徴情報が人物の頭部の形状に関する頭部形状情報を含み、かつ、施術指定情報がパーマ施術を指定する情報を含む場合、施術評価表示指令は、指定されたパーマ施術が頭部形状情報によって示される頭部の形状を有する人物に適するかを判別可能な施術評価の表示を指令することが好ましい。これにより、施術者が訓練を要する要訓練施術者等であっても、表示された施術評価を用いて、指定されたパーマ施術が頭部形状情報によって示される頭部の形状を有する人物に適するか否かを判別できる。したがって、施術者は、被施術者がよりいっそう満足するヘアスタイルの施術を行える。
【０３１７】
特徴情報が毛髪の生え際の位置に関する生え際情報を含み、かつ、施術指定情報が毛髪のうち前髪を切る前髪カット施術を指定する情報を含む場合、施術評価表示指令は、指定された前髪カット施術が生え際情報によって示される毛髪の生え際の位置を有する人物に適するかを判別可能な施術評価の表示を指令することが好ましい。これにより、施術者が訓練を要する要訓練施術者等であっても、表示された施術評価を用いて、指定された前髪カット施術が生え際情報によって示される生え際の位置を有する人物に適するか否かを判別できる。したがって、施術者は、被施術者がよりいっそう満足するヘアスタイルの施術を行える。
【０３１８】
［ステップＳ５４：施術手順提示指令を受信したか判別］
装置制御部２１は、装置記憶部２２、及び装置通信部２３と協働し、施術手順提示指令受信部２１４を実行して、端末１から、ステップＳ５３で送信した施術評価表示指令に関するヘアスタイルの施術の施術手順を提示するよう指令する施術手順提示指令を受信したか判別する（ステップＳ５４、施術手順提示指令受信ステップ）。施術手順提示指令を受信したならば、装置制御部２１は、処理を、ステップＳ５５へ移す。施術手順提示指令を受信していないならば、装置制御部２１は、支援処理を終了し、処理を、ステップＳ５１へ移す。
【０３１９】
［ステップＳ５５：施術手順表示指示を送信］
装置制御部２１は、装置記憶部２２、及び装置通信部２３と協働し、施術手順表示指令部２１５を実行して、ステップＳ５１で受信した特徴情報とステップＳ５２で受信した施術指定情報とを用いて施術手順テーブル２２３から施術手順を取得し、取得した施術手順を表示するよう指令する施術手順表示指令を端末１へ送信する（ステップＳ５５、施術手順表示指令ステップ）。装置制御部２１は、支援処理を終了し、処理を、ステップＳ５１へ移す。
【０３２０】
施術手順テーブル２２３は、特徴情報及び施術指定情報に関連付けて施術手順を格納するテーブルであるため、人物の毛髪の性質に関する髪質情報を含む特徴情報と施術を指定する施術指定情報とに基づく施術手順を施術手順テーブル２２３から取得できる。このようにして取得した施術手順を送信するため、人物の毛髪の性質に関する髪質情報を含む特徴情報と施術を指定する施術指定情報とに基づく手順を表示するよう指令できる。
【０３２１】
髪質情報が毛髪の根元の浮き具合及び毛髪がつむじを中心に流れる向きを判別可能な情報を含み、かつ、施術指定情報がカッティング施術を指定する情報を含む場合、施術手順表示指令は、毛髪の根元の浮き具合及び毛髪がつむじを中心に流れる向きに応じたカッティング施術の手順を表示するよう指令することが好ましい。これにより、施術者が訓練を要する要訓練施術者等であっても、表示された手順を用いて、毛髪の根元の浮き具合及び毛髪がつむじを中心に流れる向きに応じたカッティング施術の手順に関する訓練を行える。したがって、施術者は、被施術者がよりいっそう満足する施術を行えるようにする訓練を行える。
【０３２２】
特徴情報が人物の頭部の形状に関する頭部形状情報を含み、施術指定情報がパーマ施術を指定する情報を含む場合、施術手順表示指令は、パーマ施術に用いるパーマ用具を取付ける位置及びパーマ用具の取り付け方を含むパーマ施術の手順を表示するよう指令することが好ましい。これにより、施術者が訓練を要する要訓練施術者等であっても、表示された手順を用いて、パーマ施術に用いるパーマ用具を取付ける位置及びパーマ用具の取り付け方を含むパーマ施術の手順に関する訓練を行える。したがって、施術者は、被施術者がよりいっそう満足する施術を行えるようにする訓練を行える。
【０３２３】
髪質情報が毛髪の太さを判別可能な情報を含み、かつ、施術指定情報がカラーリング施術を指定する情報を含む場合、施術手順表示指令は、毛髪の太さに応じたカラーリング施術の適切な手順を表示するよう指令することが好ましい。これにより、施術者が訓練を要する要訓練施術者等であっても、表示された手順を用いて、毛髪の太さに応じたカラーリング施術の適切な手順を訓練できる。これにより、施術者は、被施術者がよりいっそう満足するヘアスタイルの施術を行える。
【０３２４】
髪質情報が毛髪の太さを判別可能な情報及び毛髪の傷み具合を判別可能な情報を含み、かつ、施術指定情報がカラーリング施術を指定する情報を含む場合、施術手順表示指令は、毛髪の太さだけでなく、毛髪の傷み具合にも応じたカラーリング施術の適切な手順を表示するよう指令することが好ましい。これにより、施術者が訓練を要する要訓練施術者等であっても、表示された手順を用いて、毛髪の太さだけでなく、毛髪の傷み具合にも応じたカラーリング施術の適切な手順を訓練できる。これにより、施術者は、被施術者がよりいっそう満足するヘアスタイルの施術を行える。
【０３２５】
施術手順提示指示受信ステップ及び施術手順表示指示送信ステップを行うことにより、施術手順の表示を指令する施術手順表示指令を受信した場合に、人物の毛髪の性質に関する髪質情報を含む特徴情報と施術を指定する施術指定情報とに基づく手順を表示するよう指令できる。したがって、施術者は、施術が当該人物に適するか否かを判別して、訓練を行うかを判断し、訓練を行う場合に施術手順の表示を指令するよう指示できる。これにより、訓練を行わない場合に不要の表示を行い、不要の表示を確認する負担を施術者にかけることを防ぎ得る。
【０３２６】
ステップＳ５１からステップＳ５８に係る処理は、人物の毛髪の性質に関する髪質情報を含む特徴情報と施術を指定する施術指定情報とに基づく施術評価及び施術手順を表示する処理であるため、ヘアスタイルの施術を実際に施す対象とし得る人物がいない場合であっても、施術を施される人物の情報をよりいっそう反映した訓練を行えるよう、訓練を要する要訓練施術者を支援する支援装置２を提供できる。
【０３２７】
端末１は、ステップＳ１からステップＳ３８に係る処理を実行し、支援装置２と協働することで、人物の毛髪の性質に関する髪質情報を含む特徴情報と施術を指定する施術指定情報とを支援装置２に送信し、送信した特徴情報及び施術指定情報に応じた施術評価表示指令を支援装置２から受信し、受信した施術評価表示指令によって表示された施術評価に基づいて施術の施術手順を表示できる。したがって、人物の毛髪の性質に関する髪質情報を含む特徴情報と施術を指定する施術指定情報とに基づく施術評価及び施術手順を表示できる。
【０３２８】
端末１の当該処理は、人物の毛髪の性質に関する髪質情報を含む特徴情報と施術を指定する施術指定情報とに基づく処理であるため、ヘアスタイルの施術を実際に施す対象とし得る人物がいない場合であっても、施術を施される人物の情報をよりいっそう反映した訓練を行える。
【０３２９】
すなわち、実施形態に係る支援システムＳにより、訓練を要する要訓練施術者に対して、ヘアスタイルの施術を実際に施す対象とし得る人物がいない場合であっても、施術を施される人物の情報をよりいっそう反映した訓練を行えるよう支援する手段を提供できる。
【０３３０】
なお、本発明の思想の範疇において、当業者であれば各種の変更例及び修正例に想到し得るものであり、それら変更例及び修正例についても本発明の範囲に属するものと了解される。
【０３３１】
例えば、前述の実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【０３３２】
Ｓ      支援システム
１      端末
１１    制御部
１１１  特徴情報送信部
１１２  施術指定情報送信部
１１３  施術評価表示指令受信部
１１４  施術手順提示指令送信部
１１５  施術手順表示指令受信部
１１６  施術手順表示部
１２    端末記憶部
１３    端末通信部
１４    端末入力部
１５    端末表示部
２      支援装置
２１    装置制御部
２１１  特徴情報受信部
２１２  施術指定情報受信部
２１３  施術評価表示指令部
２１４  施術手順提示指令受信部
２１５  施術手順表示指令部
２２    装置記憶部
２２１  特徴情報テーブル
２２２  施術評価テーブル
２２３  施術手順テーブル
２３    装置通信部
Ｎ      ネットワーク
ＳＴ    施術指定領域
ＭＳＴ  施術指定提案表示
ＤＦ    特徴表示領域
ＳＦ１  第１特徴指定領域
ＳＦ２  第２特徴指定領域
ＳＦ３  第３特徴指定領域
ＳＦ４  第４特徴指定領域
ＴＰＤ  直前画面遷移領域
ＳＣ    カッティング施術指定領域
ＤＣ    カッティング施術評価表示領域
ＴＳＴ  施術指定遷移領域
ＴＳＦ  特徴指定遷移領域
ＴＤＣ  評価表示遷移領域
ＴＳ１  第１手順段階遷移領域
ＴＳ２  第２手順段階遷移領域
ＴＳ３  第３手順段階遷移領域
ＩＳ    手順段階識別領域
ＤＣＳ  カッティング手順表示領域
ＣＶ１  第１視点変更領域
ＣＶ２  第２視点変更領域
ＣＶ３  第３視点変更領域
ＣＶ４  第４視点変更領域
ＣＤ１  第１表示態様変更領域
ＣＤ２  第２表示態様変更領域
ＤＦＳ  特徴等概要表示領域
ＭＣＳ  カッティング手順動画表示領域
ＳＰ    パーマ施術指定領域
ＤＰ    パーマ施術評価表示領域
ＴＣＳ  カッティング手順表示遷移領域
ＴＣＤ  カッティング後ヘアスタイル表示遷移領域
ＴＰＳ  パーマ手順表示遷移領域
ＤＰＳ  パーマ手順表示領域
ＤＰＴ  パーマ用具表示領域
ＭＰＴ  パーマ用具使用手順動画表示領域
ＳＢ    前髪カット施術指定領域
ＤＢ    前髪カット施術評価表示領域
ＤＢＳ  前髪カット手順表示領域
ＭＢＳ  前髪カット手順動画表示領域
ＴＳＤ  一色カラーリング施術指定遷移領域
ＴＭＤ  多色カラーリング指定遷移領域
ＤＤＴ  カラーリング用具表示領域
ＤＤＳ  カラーリング手順表示領域
ＭＤＴ  カラーリング用具使用手順動画表示領域
ＳＤＰ  カラーリングパターン指定領域
ＤＤＰ  カラーリングパターン詳細指定領域
ＤＤＳ  カラーリング概要表示領域
ＤＤＤ  カラーリング詳細手順表示領域
ＤＴＵ  カラーリング用具用法表示領域
ＤＰＤ  カラーリング位置情報表示領域
【要約】
【課題】訓練を要する要訓練施術者に対して、ヘアスタイルの施術を実際に施す対象とし得る人物がいない場合であっても、施術を施される人物の情報をよりいっそう反映した訓練を行えるよう支援する手段を提供すること。
【解決手段】本発明の支援装置は、人物の特徴に関し、髪質情報を含む特徴情報を受信する特徴情報受信部２１１と、人物に施すヘアスタイルの施術を指定する施術指定情報を受信可能な施術指定情報受信部２１２と、特徴情報と施術指定情報とに基づいて特徴を有する人物に対して施術を施すことの施術評価を表示するよう指令可能な施術評価表示指令部２１３と、施術評価に基づいて施術の施術手順の提示を指令する施術手順提示指令を受信可能な施術手順提示指令受信部２１４と、施術手順提示指令を受信した場合に、特徴情報と施術指定情報とに基づいて施術の施術手順を表示するよう指令可能な施術手順表示指令部２１５と、を備える。
【選択図】図１【図１】
0006969766.tif 000002
【図２】
0006969766.tif 000003
【図３】
0006969766.tif 000004
【図４】
0006969766.tif 000005
【図５】
0006969766.tif 000006
【図６】
0006969766.tif 000007
【図７】
0006969766.tif 000008
【図８】
0006969766.tif 000009
【図９】
0006969766.tif 000010
【図１０】
0006969766.tif 000011
【図１１】
0006969766.tif 000012
【図１２】
0006969766.tif 000013
【図１３】
0006969766.tif 000014
【図１４】
0006969766.tif 000015
【図１５】
0006969766.tif 000016
【図１６】
0006969766.tif 000017
【図１７】
0006969766.tif 000018
【図１８】
0006969766.tif 000019
【図１９】
0006969766.tif 000020
【図２０】
0006969766.tif 000021
【図２１】
0006969766.tif 000022
【図２２】
0006969766.tif 000023
【図２３】
0006969766.tif 000024